(57)【要約】【課題】保留記憶に基づく予告演出を実行する場合に、制御を複雑化させることなく、出現する予告演出によって遊技者の混乱を招くことのないようにする。【解決手段】コマンド解析処理において、受信した演出制御コマンドが予告演出１指定の演出制御コマンドであれば、演出制御用ＣＰＵは、予告演出１の演出態様で保留表示予告を開始する。また、受信した演出制御コマンドが予告演出２指定の演出制御コマンドであれば、遊技状態フラグの状態を確認し、確変中であれば、予告演出１の演出態様で保留表示予告を開始する。確変中でなければ、予告演出２の演出態様で保留表示予告を開始する。すなわち、受信した演出制御コマンドが予告演出２指定の演出制御コマンドであった場合には、確変状態モードであれば予告演出１の演出態様が選択され、通常状態モードであれば予告演出２の演出態様が選択される。【選択図】  図１４
2004344494.tif 000002
【特許請求の範囲】
【請求項１】
各々を識別可能な複数種類の識別情報を可変表示可能な可変表示手段を備え、あらかじめ定められている可変表示の実行条件が成立した後、可変表示の開始条件の成立にもとづいて前記可変表示の実行条件が成立した順番に従って複数種類の識別情報の可変表示を開始し、当該複数種類の識別情報の可変表示の表示結果が特定表示結果となったときに遊技者にとって有利な特定遊技状態に制御可能となる遊技機であって、
遊技の進行を制御する遊技制御手段と、
前記遊技制御手段からの制御情報にもとづいて、遊技演出の実行を制御する演出制御手段とを備え、
前記遊技制御手段は、
前記表示結果をその導出表示以前に前記特定表示結果とするか否かを決定する表示結果事前決定手段と、
該表示結果事前決定手段が表示結果を前記特定表示結果とすることを決定したときに、前記可変表示装置に前記特定表示結果が表示された後に遊技状態を前記特定遊技状態に制御する特定遊技状態制御手段と、
前記実行条件が成立した後、未だ前記開始条件の成立していない可変表示の実行を保留記憶する保留記憶手段と、
前記保留記憶手段に保留記憶されている可変表示の実行により前記特定表示結果が導出表示されるか否かを判定する判定手段と、
該判定手段により前記特定表示結果が導出表示されると判定されたか否かに応じて異なる確率で、該判定された可変表示が実行される以前に予告演出を実行することを決定する予告決定手段と、
該予告決定手段が予告演出を実行することを決定したときに送信される制御情報であって、該制御情報にもとづいて予告演出が実行されるときに可変表示の結果として特定表示結果が表示される割合が異なるように定められた第１または第２予告決定制御情報のいずれかを送信する制御情報送信手段と、を有し、
前記演出制御手段は、
予告演出の演出態様が複数種類定められた第１の演出モードと予告演出の演出態様が単一の第２の演出モードの何れかを選択する演出モード選択手段を有し、
前記演出モード選択手段により前記第１の演出モードが選択されているときには、第１または第２の予告決定制御情報に対応して、異なる演出態様により予告演出を実行し、
前記演出モード選択手段により前記第２の演出モードが選択されているときには、第１および第２の予告制御情報に関わらず、単一の演出態様により予告演出を実行する
ことを特徴とする遊技機。
【請求項２】
あらかじめ定められた特別の条件が成立したときに、特定遊技状態と異なり遊技者に不利な通常遊技状態に制御されているときに比べ識別情報の可変表示の表示結果が特定の表示結果となり易い特別遊技状態に遊技状態を制御する特別遊技状態制御手段を備え、
演出モード選択手段は、前記遊技状態の種類に対応した演出モードを選択する
請求項１記載の遊技機。
【請求項３】
特別遊技状態制御手段は、遊技制御手段に含まれ、
制御情報送信手段は、特別遊技状態への制御が開始されることを示す特別遊技状態開始制御情報および／または特別遊技状態への制御が終了されることを示す特別遊技状態終了制御情報と、識別情報の可変表示の開始を指示する可変表示開始制御情報と、を送信する機能を有し、
演出制御手段は、演出モード選択手段に選択されている演出モードを報知するために識別情報の可変表示における背景の態様を変化させる報知手段を含み、
前記演出モード選択手段は、前記特別遊技状態開始制御情報および／または前記特別遊技状態終了制御情報の受信に応じて、選択する演出モードを変更するとともに、
前記報知手段は、前記特別遊技状態開始制御情報および／または前記特別遊技状態終了制御情報を受信した後、新たに可変表示開始制御情報を受信したことにより、前記背景の態様を変化させる
請求項２記載の遊技機。
【請求項４】
特別遊技状態制御手段は、遊技制御手段に含まれ、
制御情報送信手段は、識別情報の可変表示の開始毎に、制御されている遊技状態を示す状態制御情報を送信する機能を有し、
演出モード選択手段は、前記状態制御信号に応じて、選択する演出モードを変更する
請求項２または請求項３記載の遊技機。
【請求項５】
現在の遊技状態を示す遊技状態情報を記憶する遊技状態情報記憶手段と、
保留記憶手段に記憶されている可変表示が実行されるときの遊技状態を示す保留遊技状態情報を記憶する保留遊技状態情報記憶手段と、
所定の数値範囲内で数値を更新する数値更新手段と、
可変表示の実行条件の成立時に、前記数値抽出手段から抽出値を抽出する数値抽出手段と、をさらに備え、
表示結果事前決定手段は、前記抽出値があらかじめ定められた判定値と一致するか否かにもとづいて、特定表示結果とするか否かを決定するとともに、
保留記憶手段は、前記実行条件成立時に抽出された前記抽出値を記憶することにより、可変表示の実行を保留記憶し、
判定手段は、前記保留記憶手段に記憶されている前記抽出値が前記判定値と一致するか否かにより、保留記憶されている可変表示の実行により前記特定表示結果が導出表示されるか否かを判定し、
前記表示結果事前決定手段および前記判定手段は、判定値を変化させるか否かを決定するために用いる情報が記憶された選択情報記憶手段の内容に応じて判定値を変化させて抽出値が一致するか否かの判定を行う特定判定処理によって、特定表示結果とするか否かの決定または保留記憶されている可変表示の実行により前記特定表示結果が導出表示されるか否かの判定を行い、
前記表示結果事前決定手段は、前記選択情報記憶手段に遊技状態情報を記憶させる通常時設定手段を含み、
前記判定手段は、前記選択情報記憶手段に保留遊技状態情報を記憶させる保留時設定手段を含む
請求項１から請求項４のうちのいずれかに記載の遊技機。
【発明の詳細な説明】
【０００１】
【発明の属する技術分野】
本発明は、各々を識別可能な識別情報を可変表示可能な可変表示手段を備え、あらかじめ定められている可変表示の実行条件が成立した後、可変表示の開始条件の成立にもとづいて識別情報の可変表示を開始し、当該識別情報の可変表示の表示結果が特定表示結果となった場合に遊技者にとって有利な特定遊技状態に制御可能となるパチンコ機等の遊技機に関する。
【０００２】
【従来の技術】
遊技機として、遊技球などの遊技媒体を発射装置によって遊技領域に発射し、遊技領域に設けられている入賞口などの入賞領域に遊技媒体が入賞すると、所定個の賞球が遊技者に払い出されるものがある。さらに、識別情報を可変表示可能な可変表示手段が設けられ、当該識別情報の可変表示の表示結果が特定の表示結果となった場合に遊技者にとって有利な特定遊技状態に制御可能となるように構成されたものがある。
【０００３】
特定遊技状態とは、所定の遊技価値が付与された遊技者にとって有利な状態を意味する。具体的には、特定遊技状態は、例えば可変入賞球装置の状態が打球が入賞しやすい遊技者にとって有利な状態（大当り遊技状態）、遊技者にとって有利な状態となるための権利が発生した状態、景品遊技媒体払出の条件が成立しやすくなる状態などの、所定の遊技価値が付与された状態である。
【０００４】
パチンコ遊技機では、特別図柄（識別情報）を表示する可変表示手段の表示結果があらかじめ定められた特定の表示態様の組合せとなることを、通常、「大当り」という。大当りが発生すると、例えば、大入賞口が所定回数開放して打球が入賞しやすい大当り遊技状態に移行する。そして、各開放期間において、所定個（例えば１０個）の大入賞口への入賞があると大入賞口は閉成する。そして、大入賞口の開放回数は、所定回数（例えば１５ラウンド）に固定されている。なお、各開放について開放時間（例えば２９．５秒）が決められ、入賞数が所定個に達しなくても開放時間が経過すると大入賞口は閉成する。また、大入賞口が閉成した時点で所定の条件（例えば、大入賞口内に設けられているＶゾーンへの入賞）が成立していない場合には、大当り遊技状態は終了する。
【０００５】
また、可変表示手段において最終停止図柄（例えば左右中図柄のうち中図柄）となる図柄以外の図柄が、所定時間継続して、特定の表示結果と一致している状態で停止、揺動、拡大縮小もしくは変形している状態、または、複数の図柄が同一図柄で同期して変動したり、表示図柄の位置が入れ替わっていたりして、最終結果が表示される前で大当り発生の可能性が継続している状態（以下、これらの状態をリーチ状態という。）において行われる演出をリーチ演出という。また、リーチ状態やその様子をリーチ態様という。さらに、リーチ演出を含む可変表示をリーチ可変表示という。リーチ状態において、変動パターンを通常状態における変動パターンとは異なるパターンにすることによって、遊技の興趣が高められている。そして、可変表示手段に可変表示される図柄の表示結果がリーチ状態となる条件を満たさない場合には「はずれ」となり、可変表示状態は終了する。遊技者は、大当りをいかにして発生させるかを楽しみつつ遊技を行う。
【０００６】
このような遊技機には、可変表示手段においてリーチ態様や大当り態様が表示される旨を事前に報知するいわゆる予告機能を備えたものがある。予告機能にもとづく予告演出は、例えば、最終停止図柄が確定する以前の段階で、特別図柄の可変表示態様や背景画像が変化したり、所定のキャラクタが登場したり変化したり、遊技機に設けられているランプ・ＬＥＤ等の発光手段を明滅させたり、遊技機に設けられているスピーカ等の音出力手段から音声や効果音を出力することによって行われる。
【０００７】
また、上記のような遊技機において、保留記憶の全てについて可変表示結果が大当りとなるか否か判定し、大当りとなるものが含まれていると判定した場合には、保留記憶数を表示する保留記憶数表示器によって予告演出を実行するように構成されているものがある。そのような遊技機では、保留記憶数表示器に表示されている保留記憶のうち、大当りとなる保留記憶を、他の保留記憶と区別可能に表示して、大当りが発生することを遊技者に予告する。なお、保留記憶とは、図柄の可変表示の実行条件が成立したが未だ実際の可変表示が開始されない数を記憶するものであり、始動入賞記憶ともいう。また、保留記憶の最大数には上限があり、上限は例えば４である。
【０００８】
保留記憶数表示器による予告演出を実行する遊技機には、そのような予告演出を実行するために、始動入賞時に大当りとするか否かの判定結果を示す制御コマンドを、遊技機に備えられている主基板に搭載されている遊技制御手段から、予告演出を実行する演出制御手段が搭載されている演出制御基板に向けて送信する構成とされたものがある（例えば、特許文献１参照。）。
【０００９】
【特許文献１】
特開２００１−１７８９０４号公報
【００１０】
【発明が解決しようとする課題】
特許文献１に記載されている遊技機では、主基板での大当りとするか否かの判定結果を外部出力する機会が増加することになり、遊技機内部の判定状況を制御コマンドの出力タイミングから察知するなどの不正行為がなされる危険性が高まってしまう。このため、予告演出を実行するか否か程度までは主基板で判定し、その判定結果を主基板から演出制御基板に向けて送信するようにすることが望ましい。
【００１１】
ところが、例えば、可変表示演出の実行期間が短縮されている時短時には複数種類の予告演出を実行し、時短時でない通常時には１種類の予告演出を実行する構成とされているような場合には、時短時に使用される制御コマンドと通常時に使用される制御コマンドとを区別して送り分ける必要が生じる。このように、保留記憶にもとづく予告演出を実行する場合に、その制御内容が複雑化してしまうという課題があった。また、時短時と通常時とで常に複数種類の予告演出が実行されるような場合には、出現する予告演出が多種類にわたるため演出内容が複雑なものとなってしまい、遊技者の混乱を招いてしまうという課題もあった。
【００１２】
そこで、本発明は、保留記憶にもとづく予告演出を実行する場合に、制御を複雑化させることなく、出現する予告演出によって遊技者の混乱を招くことのないような遊技機を提供することを目的とする。
【００１３】
【課題を解決するための手段】
本発明による遊技機は、各々を識別可能な複数種類の識別情報を可変表示可能な可変表示手段（例えば可変表示装置９）を備え、あらかじめ定められている可変表示の実行条件（例えば始動入賞：始動入賞口１４への遊技球の入賞）が成立した後、可変表示の開始条件（例えば、前回の特別図柄の可変表示および大当り遊技状態が終了し、かつ、始動入賞記憶数が０でないこと）の成立にもとづいて可変表示の実行条件が成立した順番に従って複数種類の識別情報の可変表示を開始し、当該複数種類の識別情報の可変表示の表示結果が特定表示結果（例えば左中右図柄が同一の図柄）となったときに遊技者にとって有利な特定遊技状態（例えば大当り遊技状態）に制御可能となる遊技機であって、遊技の進行を制御する遊技制御手段（例えばＣＰＵ５６を含む遊技制御手段）と、遊技制御手段からの制御情報にもとづいて、遊技演出の実行を制御する演出制御手段（例えば演出制御用ＣＰＵ１０１を含む演出制御手段）とを備え、遊技制御手段は、表示結果をその導出表示以前に特定表示結果とするか否かを決定する表示結果事前決定手段（例えば遊技制御手段におけるステップＳ５６を実行する部分）と、表示結果事前決定手段が表示結果を特定表示結果とすることを決定したときに、可変表示装置に特定表示結果が表示された後に遊技状態を特定遊技状態に制御する特定遊技状態制御手段（例えば、遊技制御手段におけるステップＳ３０５〜ステップＳ３０７を実行する部分）と、実行条件が成立した後、未だ開始条件の成立していない可変表示の実行を保留記憶する保留記憶手段（例えば、遊技制御手段における始動口スイッチ通過処理のステップＳ１１１〜Ｓ１１４を実行する部分、特にステップＳ１１３の記憶数に応じた保存領域に保存する処理を実行する部分。あるいは保存領域）と、保留記憶手段に保留記憶されている可変表示の実行により特定表示結果が導出表示されるか否かを判定する判定手段（例えば遊技制御手段における予告設定処理を実行する部分、特にステップＳ２０７，ステップＳ２０８を実行する部分）と、判定手段により特定表示結果が導出表示されると判定されたか否かに応じて異なる確率（例えば、大当りと判定されたときは高確率で、はずれと判定されたときには低確率とすればよい）で、判定された可変表示が実行される以前に予告演出を実行することを決定する予告決定手段（例えば遊技制御手段におけるステップＳ２１１〜ステップＳ２１５を実行する部分）と、予告決定手段が予告演出を実行することを決定したとき（例えばステップＳ２１５でＹと判定されたとき）に送信される制御情報であって、制御情報にもとづいて予告演出が実行されるときに可変表示の結果として特定表示結果が表示される割合が異なるように定められた第１または第２予告決定制御情報（例えば予告演出１指定コマンド、予告演出２指定コマンド）のいずれかを送信する制御情報送信手段（例えば、遊技制御手段におけるステップＳ２３２〜ステップＳ２３５を実行する部分）と、を有し、演出制御手段が、予告演出の演出態様が複数種類定められた第１の演出モード（例えば通常状態モード）と予告演出の演出態様が単一の第２の演出モード（例えば確変状態モード）の何れかを選択する演出モード選択手段（例えば演出制御手段におけるステップＳ６１３〜ステップＳ６１６）を有し、演出モード選択手段により第１の演出モードが選択されているときには、第１または第２の予告決定制御情報に対応して、異なる演出態様（例えば図１５の下段のテーブルに設定されている予告演出１または予告演出２の演出態様）により予告演出を実行し（例えばステップＳ６３１〜Ｓ６３４，Ｓ６３６）、演出モード選択手段により第２の演出モードが選択されているときには、第１および第２の予告制御情報に関わらず、単一の演出態様（例えば図１５の上段のテーブルに設定されている予告演出１の演出態様）により予告演出を実行する（例えばステップＳ６３１〜Ｓ６３５）ことを特徴とする。
【００１４】
あらかじめ定められた特別の条件が成立したときに、特定遊技状態と異なり遊技者に不利な通常遊技状態（例えば、遊技の進行状況に応じた遊技状態の変化などがなされていない遊技状態を意味する。なお、遊技者は、遊技状態が通常遊技状態から遊技者に有利な他の遊技状態に変化されることを期待しつつ遊技を行う。）に制御されているときに比べ識別情報の可変表示の表示結果が特定の表示結果となり易い特別遊技状態（例えば、通常遊技状態と比較して大当りと判定される確率が高められた確変状態、通常遊技状態と比較して可変表示の演出時間が短縮され単位時間あたりの可変表示回数が高められた時短状態、通常遊技状態と比較して可変入賞球装置１５による開閉片の開閉動作の期間や回数が延長される開放延長状態）に遊技状態を制御する特別遊技状態制御手段（例えば遊技制御手段）を備え、演出モード選択手段は、遊技状態の種類に対応した演出モードを選択する（例えばステップＳ６３４〜６３６）ように構成されていてもよい。
【００１５】
特別遊技状態制御手段は、遊技制御手段に含まれ、制御情報送信手段は、特別遊技状態への制御が開始されることを示す特別遊技状態開始制御情報（例えば確変状態開始指定コマンド）および／または特別遊技状態への制御が終了されることを示す特別遊技状態終了制御情報（例えば確変状態終了指定コマンド）と、識別情報の可変表示の開始を指示する可変表示開始制御情報（例えば変動パターンコマンド）と、を送信する機能を有し、演出制御手段は、演出モード選択手段に選択されている演出モードを報知するために識別情報の可変表示における背景の態様を変化させる報知手段（例えば演出制御手段におけるステップＳ８７３ａ〜ステップＳ８７６ｂを実行する部分）を含み、演出モード選択手段は、特別遊技状態開始制御情報および／または特別遊技状態終了制御情報の受信に応じて、選択する演出モードを変更する（例えばステップＳ６１３〜ステップＳ６１６）とともに、報知手段は、特別遊技状態開始制御情報および／または特別遊技状態終了制御情報を受信した後（例えばステップＳ６１３，Ｓ６１５）、新たに可変表示開始制御情報を受信（例えばステップＳ８７１のＹ）したことにより、背景の態様を変化させる（例えばステップＳ８７６ａ，Ｓ８７６ｂ）構成とされていてもよい。
【００１６】
特別遊技状態制御手段が、遊技制御手段に含まれ、制御情報送信手段は、識別情報の可変表示の開始毎に、制御されている遊技状態を示す状態制御情報（遊技状態指定コマンド）を送信する機能（例えば遊技制御手段におけるステップＳ６８，Ｓ６９を実行する機能）を有し、演出モード選択手段は、状態制御信号に応じて、選択する演出モードを変更する（例えば遊技状態指定コマンドの受信に応じて遊技状態フラグをセット／リセットする処理を実行する機能）構成とされていてもよい。
【００１７】
現在の遊技状態を示す遊技状態情報（例えば現在遊技状態情報）を記憶する遊技状態情報記憶手段（例えば確変フラグ）と、保留記憶手段に記憶されている可変表示が実行されるときの遊技状態を示す保留遊技状態情報を記憶する保留遊技状態情報記憶手段（例えば保留遊技状態フラグ）と、所定の数値範囲内で数値（例えば乱数を生成するためのカウンタのカウント値）を更新する数値更新手段（例えば乱数を生成するためのカウンタ）と、可変表示の実行条件の成立時に、数値抽出手段から抽出値を抽出する数値抽出手段（例えば遊技制御手段における始動口スイッチ通過処理のステップＳ１１２〜Ｓ１１４を実行する部分、特にステップＳ１１３の各乱数を、始動入賞記憶の保存領域の格納されるデータとして抽出する処理を実行する部分）と、をさらに備え、表示結果事前決定手段は、抽出値があらかじめ定められた判定値と一致するか否かにもとづいて、特定表示結果とするか否かを決定する（例えばステップＳ２０７）とともに、保留記憶手段は、実行条件成立時に抽出された抽出値を記憶する（例えばステップＳ１１３で保存領域に格納する）ことにより、可変表示の実行を保留記憶し、判定手段は、保留記憶手段に記憶されている抽出値が判定値と一致するか否かにより、保留記憶されている可変表示の実行により特定表示結果が導出表示されるか否かを判定（例えばステップＳ５６）し、表示結果事前決定手段および判定手段は、判定値を変化させるか否かを決定するために用いる情報が記憶された選択情報記憶手段（例えばステップＳ１４１で設定されるパラメータ）の内容に応じて判定値を変化させて抽出値が一致するか否かの判定を行う特定判定処理（例えば大当り判定モジュール）によって、特定表示結果とするか否かの決定または保留記憶されている可変表示の実行により特定表示結果が導出表示されるか否かの判定を行い、表示結果事前決定手段は、選択情報記憶手段に遊技状態情報を記憶させる通常時設定手段（例えば遊技制御手段におけるステップＳ５６の前にパラメータを設定する処理を実行する部分）を含み、判定手段は、選択情報記憶手段に保留遊技状態情報を記憶させる保留時設定手段（例えば遊技制御手段におけるステップＳ２０７の前にパラメータを設定する処理を実行する部分）を含むように構成されていてもよい。
【００１８】
【発明の実施の形態】
以下、本発明の一実施形態を図面を参照して説明する。まず、遊技機の一例である第１種パチンコ遊技機の全体の構成について説明する。図１はパチンコ遊技機を正面からみた正面図である。
【００１９】
パチンコ遊技機１は、縦長の方形状に形成された外枠（図示せず）と、外枠の内側に開閉可能に取り付けられた遊技枠とで構成される。また、パチンコ遊技機１は、遊技枠に開閉可能に設けられている額縁状に形成されたガラス扉枠２を有する。遊技枠は、外枠に対して開閉自在に設置される前面枠（図示せず）と、機構部品等が取り付けられる機構板と、それらに取り付けられる種々の部品（後述する遊技盤を除く。）とを含む構造体である。
【００２０】
図１に示すように、パチンコ遊技機１は、額縁状に形成されたガラス扉枠２を有する。ガラス扉枠２の下部表面には打球供給皿（上皿）３がある。打球供給皿３の下部には、打球供給皿３に収容しきれない遊技球を貯留する余剰球受皿４と打球を発射する打球操作ハンドル（操作ノブ）５が設けられている。ガラス扉枠２の背面には、遊技盤６が着脱可能に取り付けられている。なお、遊技盤６は、それを構成する板状体と、その板状体に取り付けられた種々の部品とを含む構造体である。また、遊技盤６の前面には遊技領域７が形成されている。
【００２１】
遊技領域７の中央付近には、それぞれが識別情報としての図柄を可変表示する複数の可変表示部を含む可変表示装置（特別可変表示部）９が設けられている。可変表示装置９には、例えば「左」、「中」、「右」の３つの可変表示部（図柄表示エリア）がある。なお、可変表示部は固定的な領域であってもよいが、遊技進行中に、可変表示装置９の表示領域において移動したり大きさが変化してもよい。また、可変表示装置９には、始動入賞口１４に入った有効入賞球数すなわち始動入賞記憶数を表示する４つの特別図柄始動記憶表示エリア（始動記憶表示エリア）１８が設けられている。有効始動入賞（始動入賞記憶数が４未満のときの始動入賞）がある毎に、表示色を変化させる（例えば青色表示から黄色表示に変化させる）始動記憶表示エリア１８を１増やす。そして、可変表示装置９の可変表示が開始される毎に、表示色が変化している始動記憶表示エリア１８を１減らす（すなわち表示色をもとに戻す）。
【００２２】
なお、図柄表示エリアと始動記憶表示エリア１８とが区分けされて設けられているので、可変表示中も始動入賞記憶数が表示された状態にすることができる。また、始動記憶表示エリア１８を図柄表示エリアの一部に設けるようにしてもよく、その場合には、可変表示中は始動入賞記憶数の表示を中断するようにすればよい。また、この実施の形態では、始動記憶表示エリア１８を可変表示装置９に設けるようにしているが、始動入賞記憶数を表示する表示器（特別図柄始動記憶表示器）を可変表示装置９とは別個に設けるようにしてもよい。
【００２３】
可変表示装置９の下方には、始動入賞口１４を含む可変入賞球装置１５が設けられている。始動入賞口１４に入った入賞球は、遊技盤６の背面に導かれ、始動口スイッチ１４ａによって検出される。また、可変入賞球装置１５は、開閉動作を行う左右の開閉片を備えている。この開閉片は、ソレノイド１６によって開状態とされる。
【００２４】
可変入賞球装置１５の下部には、特定遊技状態（大当り状態）においてソレノイド２１によって開状態とされる開閉板２０が設けられている。開閉板２０は大入賞口を開閉する手段である。開閉板２０から遊技盤６の背面に導かれた入賞球のうち一方（Ｖ入賞領域）に入った入賞球はＶ入賞スイッチ２２で検出され、開閉板２０からの入賞球はカウントスイッチ２３で検出される。遊技盤６の背面には、大入賞口内の経路を切り換えるためのソレノイド２１Ａも設けられている。
【００２５】
ゲート３２に遊技球が入賞しゲートスイッチ３２ａで検出されると、普通図柄始動入賞記憶が上限に達していなければ、所定の乱数値が抽出される。そして、普通図柄表示器１０において表示状態が変化する可変表示を開始できる状態であれば、普通図柄表示器１０の表示の可変表示が開始される。普通図柄表示器１０において表示状態が変化する可変表示を開始できる状態でなければ、普通図柄始動入賞記憶の値が１増やされる。普通図柄表示器１０の近傍には、普通図柄始動入賞記憶数を表示する４つのＬＥＤによる表示部を有する普通図柄始動記憶表示器４１が設けられている。ゲート３２への入賞がある毎に、普通図柄始動記憶表示器４１は点灯するＬＥＤを１増やす。そして、普通図柄表示器１０の可変表示が開始される毎に、点灯するＬＥＤを１減らす。なお、特別図柄と普通図柄とを一つの可変表示装置で可変表示するように構成することもできる。その場合には、特別可変表示部と普通可変表示部とは１つの可変表示装置で実現される。
【００２６】
この実施の形態では、左右のランプ（点灯時に図柄が視認可能になる）が交互に点灯することによって普通図柄の可変表示が行われ、可変表示は所定時間（例えば２９．２秒）継続する。そして、可変表示の終了時に左側のランプが点灯すれば当りとなる。当りとするか否かは、ゲート３２に遊技球が入賞したときに抽出された乱数の値が所定の当り判定値と一致したか否かによって決定される。普通図柄表示器１０における可変表示の表示結果が当りである場合に、可変入賞球装置１５が所定回数、所定時間だけ開状態になって遊技球が入賞しやすい状態になる。すなわち、可変入賞球装置１５の状態は、普通図柄の停止図柄が当り図柄である場合に、遊技者にとって不利な状態から有利な状態に変化する。
【００２７】
さらに、特別遊技状態としての確変状態では、普通図柄表示器１０における停止図柄が当り図柄になる確率が高められるとともに、可変入賞球装置１５の開放時間と開放回数とのうちの一方または双方が高められ、遊技者にとってさらに有利になる。また、確変状態等の所定の状態では、普通図柄表示器１０における可変表示期間（変動時間）が短縮されることによって、遊技者にとってさらに有利になるようにしてもよい。
【００２８】
遊技盤６には、複数の入賞口２９，３０，３３，３９が設けられ、遊技球の入賞口２９，３０，３３，３９への入賞は、それぞれ入賞口スイッチ２９ａ，３０ａ，３３ａ，３９ａによって検出される。遊技領域７の左右周辺には、遊技中に点滅表示される飾りランプ２５が設けられ、下部には、入賞しなかった打球を吸収するアウト口２６がある。また、遊技領域７の外側の左右上部には、効果音や音声を発する２つのスピーカ２７が設けられている。遊技領域７の外周には、天枠ランプ２８ａ、左枠ランプ２８ｂおよび右枠ランプ２８ｃが設けられている。
【００２９】
そして、この例では、左枠ランプ２８ｂの近傍に、賞球残数があるときに点灯する賞球ランプ５１が設けられ、右枠ランプ２８ｃの近傍に、補給球が切れたときに点灯する球切れランプ５２が設けられている。
【００３０】
打球発射装置から発射された遊技球は、打球レールを通って遊技領域７に入り、その後、遊技領域７を下りてくる。打球が始動入賞口１４に入り始動口スイッチ１４ａで検出されると、図柄の可変表示を開始できる状態であれば、可変表示装置９において特別図柄が可変表示（変動）を始める。図柄の可変表示を開始できる状態でなければ、始動入賞記憶数を１増やす。
【００３１】
可変表示装置９における特別図柄の可変表示は、一定時間が経過したときに停止する。停止時の特別図柄の組み合わせが大当り図柄（特定表示態様）であると、大当り遊技状態に移行する。すなわち、開閉板２０が、一定時間経過するまで、または、所定個数（例えば１０個）の打球が入賞するまで開放する。そして、開閉板２０の開放中に打球がＶ入賞領域に入賞しＶ入賞スイッチ２２で検出されると、継続権が発生し開閉板２０の開放が再度行われる。継続権の発生は、所定回数（例えば１５ラウンド）許容される。
【００３２】
停止時の可変表示装置９における特別図柄の組み合わせが確率変動を伴う大当り図柄（確変図柄）の組み合わせである場合には、次に大当りとなる確率が高くなる。すなわち、確変状態という遊技者にとってさらに有利な状態（特別遊技状態）となる。
【００３３】
図２は、主基板３１および演出制御基板８０における回路構成の一例を示すブロック図である。なお、図２には、ランプドライバ基板３５および音声出力基板７０も示されている。主基板３１には、プログラムに従ってパチンコ遊技機１を制御する基本回路５３と、ゲートスイッチ３２ａ、始動口スイッチ１４ａ、Ｖ入賞スイッチ２２、カウントスイッチ２３、入賞口スイッチ２９ａ，３０ａ，３３ａ，３９ａ、満タンスイッチ４８およびクリアスイッチ９２１からの信号を基本回路５３に与えるスイッチ回路５８と、可変入賞球装置１５を開閉するソレノイド１６、開閉板２０を開閉するソレノイド２１および大入賞口内の経路を切り換えるためのソレノイド２１Ａを基本回路５３からの指令に従って駆動するソレノイド回路５９とが搭載されている。
【００３４】
なお、ゲートスイッチ３２ａ、始動口スイッチ１４ａ、Ｖ入賞スイッチ２２、カウントスイッチ２３、入賞口スイッチ２９ａ，３０ａ，３３ａ，３９ａ等のスイッチは、センサと称されているものでもよい。すなわち、遊技球を検出できる遊技媒体検出手段（この例では遊技球検出手段）であれば、その名称を問わない。
【００３５】
また、基本回路５３から与えられるデータに従って、大当りの発生を示す大当り情報、可変表示装置９における図柄の可変表示開始に利用された始動入賞球の個数を示す有効始動情報、確率変動が生じたことを示す確変情報等の情報出力信号を、遊技機裏面に設置されている情報端子盤を介してホールコンピュータ等の外部装置に対して出力する情報出力回路６４が搭載されている。
【００３６】
基本回路５３は、ゲーム制御用のプログラム等を記憶するＲＯＭ５４、ワークメモリとして使用される記憶手段（変動データを記憶する手段）としてのＲＡＭ５５、プログラムに従って制御動作を行うＣＰＵ５６およびＩ／Ｏポート部５７を含む。この実施の形態では、ＲＯＭ５４，ＲＡＭ５５はＣＰＵ５６に内蔵されている。すなわち、ＣＰＵ５６は、１チップマイクロコンピュータである。なお、１チップマイクロコンピュータは、少なくともＲＡＭ５５が内蔵されていればよく、ＲＯＭ５４およびＩ／Ｏポート部５７は外付けであっても内蔵されていてもよい。なお、ＣＰＵ５６はＲＯＭ５４に格納されているプログラムに従って制御を実行するので、以下、ＣＰＵ５６が実行する（または、処理を行う）ということは、具体的には、ＣＰＵ５６がプログラムに従って制御を実行することである。このことは、主基板３１以外の他の基板に搭載されているＣＰＵについても同様である。
【００３７】
また、ＲＡＭ（ＣＰＵ内蔵ＲＡＭであってもよい。）５５の一部または全部が、電源基板において作成されるバックアップ電源によってバックアップされているバックアップＲＡＭである。すなわち、遊技機に対する電力供給が停止しても、所定期間は、ＲＡＭ５５の一部または全部の内容は保存される。
【００３８】
この実施の形態では、演出制御基板８０に搭載されている演出制御手段が、遊技盤に設けられている普通図柄始動記憶表示器４１および飾りランプ２５等の表示制御を行うとともに、枠側に設けられている天枠ランプ２８ａ、左枠ランプ２８ｂ、右枠ランプ２８ｃ、賞球ランプ５１および球切れランプ５２の表示制御を行う。なお、各ランプはＬＥＤその他の種類の発光体でもよい。すなわち、ランプやＬＥＤは発光体の一例であり、以下、ランプ・ＬＥＤと総称することがある。また、可変表示装置９の上部および左右部には、可変表示装置飾りＬＥＤ（センター飾りＬＥＤ）が設置され、大入賞口の内部には大入賞口内飾りＬＥＤが設置され、大入賞口の左右には、大入賞口左飾りＬＥＤおよび大入賞口右飾りＬＥＤが設置されている。演出制御手段は、それらの発光体の制御も行う。
【００３９】
なお、ランプ・ＬＥＤを駆動するための駆動信号は、ランプドライバ基板３５において作成される。また、遊技機に演出手段としての可動部材が設置されている場合には、可動部材を駆動するためのモータやソレノイド等の演出用駆動手段を駆動するための駆動信号も、ランプドライバ基板３５において作成される。
【００４０】
また、特別図柄を可変表示する可変表示装置９および普通図柄を可変表示する普通図柄表示器１０の表示制御は、演出制御基板８０に搭載されている演出制御手段によって行われる。
【００４１】
また、図２に示すように、演出制御基板８０において、演出制御用ＣＰＵ１０１は、ＲＯＭ（図示せず）に格納されたプログラムに従って動作し、主基板３１からのストローブ信号（演出制御ＩＮＴ信号）に応じて、入力ドライバ１０２および入力ポート１０３を介して演出制御コマンドを受信する。また、演出制御用ＣＰＵ１０１は、出力ポート１０４およびＬＣＤ駆動回路１０６を介してＬＣＤを用いた可変表示装置９の表示制御を行うとともに、出力ポート１０４およびランプ駆動回路１０７を介して普通図柄表示器１０の表示制御を行う。
【００４２】
さらに、演出制御用ＣＰＵ１０１は、出力ポート１０９および出力ドライバ１１０を介して音声出力基板７０に対して音番号データを出力する。また、演出制御用ＣＰＵ１０１に入出力するバス（アドレスバス、データバス、および書込／読出信号等の制御信号ラインを含む）はバスドライバ１０５を介してランプドライバ基板３５まで延長されている。
【００４３】
この実施の形態では、遊技機に設けられているランプ・ＬＥＤおよび演出用駆動手段は、演出制御基板８０に搭載されている演出用ＣＰＵ１０１を含む演出制御手段によって制御される。また、可変表示装置９、普通図柄表示器１０およびランプ・ＬＥＤ等を制御するためのデータがＲＯＭに格納されている。演出用ＣＰＵ１０１は、ＲＯＭに格納されているデータにもとづいて可変表示装置９、普通図柄表示器１０およびランプ・ＬＥＤ等を制御する。そして、ランプドライバ基板３５に搭載されている出力ポートおよび各駆動回路を介して、ランプ・ＬＥＤおよび演出用駆動手段が駆動される。従って、機種変更を行う場合に、演出制御基板８０を新たな機種のものに交換すれば、ランプドライバ基板３５を交換せずに機種変更を実現することができる。
【００４４】
なお、演出制御基板８０、ランプドライバ基板３５および音声出力基板７０は独立した基板であるが、それらは、例えば、遊技機裏面において、１つのボックスに収容された状態で設置される。
【００４５】
この実施の形態では、スピーカ２７から出力される音声や効果音は演出制御用ＣＰＵ１０１を含む演出制御手段によって制御されるのであるが、演出制御手段は、音声出力基板７０に音番号データを出力する。音声出力基板７０に搭載されている音声データＲＯＭ（図示せず）には、遊技の進行に伴って出現しうる音声や効果音を実現するための多数のデータが格納され、それらのデータは音番号データに対応付けられている。従って、演出制御手段は、音番号データを出力するだけで音出力制御を実現することができる。なお、音番号データは例えば１バイトデータであり、シリアル信号線またはパラレル信号線によって音声出力基板７０に転送される。
【００４６】
次に遊技機の動作について説明する。先ず、主基板３１における遊技制御手段（ＣＰＵ５６およびＲＯＭ，ＲＡＭ等の周辺回路）が実行するメイン処理について説明する。遊技機に対して電源が投入され、リセット端子の入力レベルがハイレベルになると、ＣＰＵ５６は、メイン処理を開始する。メイン処理において、ＣＰＵ５６は、まず、必要な初期設定を行う。
【００４７】
次いで、ＣＰＵ５６は、遊技機への電力供給が停止したときにバックアップＲＡＭ領域のデータ保護処理（例えばパリティデータの付加等の電力供給停止時処理）が行われたか否か確認する。そのような保護処理が行われていないことを確認したら、ＣＰＵ５６は初期化処理を実行する。バックアップＲＡＭ領域にバックアップデータがあるか否かは、例えば、電力供給停止時処理においてバックアップＲＡＭ領域に設定されるバックアップフラグの状態によって確認される。
【００４８】
バックアップありを確認したら、ＣＰＵ５６は、バックアップＲＡＭ領域のデータチェック（この例ではパリティチェック）を行う。ステップＳ９では、算出したチェックサムと、電力供給停止時処理で同一の処理によって算出され保存されているチェックサムとを比較する。不測の停電等の電力供給停止が生じた後に復旧した場合には、バックアップＲＡＭ領域のデータは保存されているはずであるから、チェック結果（比較結果）は正常（一致）になる。チェック結果が正常でないということは、バックアップＲＡＭ領域のデータが、電力供給停止時のデータとは異なっていることを意味する。そのような場合には、内部状態を電力供給停止時の状態に戻すことができないので、電力供給の停止からの復旧時でない電源投入時に実行される初期化処理を実行する。
【００４９】
チェック結果が正常であれば、ＣＰＵ５６は、遊技制御手段の内部状態と演出制御手段等の電気部品制御手段の制御状態を電力供給停止時の状態に戻すための遊技状態復旧処理を行う。そして、バックアップＲＡＭ領域に保存されていたＰＣ（プログラムカウンタ）の退避値がＰＣに設定され、そのアドレスに復帰する。
【００５０】
なお、この実施の形態では、バックアップフラグとチェックデータとの双方を用いてバックアップＲＡＭ領域のデータが保存されているか否かを確認しているが、いずれか一方のみを用いてもよい。すなわち、バックアップフラグとチェックデータとのいずれかを、状態復旧処理を実行するための契機としてもよい。
【００５１】
初期化処理では、ＣＰＵ５６は、まず、ＲＡＭクリア処理を行う。また、所定の作業領域（例えば、普通図柄判定用乱数カウンタ、普通図柄判定用バッファ、特別図柄左中右図柄バッファ、特別図柄プロセスフラグ、払出コマンド格納ポインタ、賞球中フラグ、球切れフラグ、払出停止フラグなど制御状態に応じて選択的に処理を行うためのフラグ）に初期値を設定する作業領域設定処理を行う。さらに、サブ基板（この実施の形態では払出制御基板および演出制御基板８０）を初期化するための初期化コマンドを各サブ基板に送信する処理を実行する。初期化コマンドとして、可変表示装置９に表示される初期図柄を示すコマンドや賞球ランプ５１および球切れランプ５２の消灯を指示するコマンド等がある。
【００５２】
そして、２ｍｓ毎に定期的にタイマ割込がかかるようにＣＰＵ５６に設けられているＣＴＣのレジスタの設定が行われる。すなわち、初期値として２ｍｓに相当する値が所定のレジスタ（時間定数レジスタ）に設定される。
【００５３】
初期化処理の実行が完了すると、メイン処理で、表示用乱数更新処理および初期値用乱数更新処理が繰り返し実行される。表示用乱数更新処理および初期値用乱数更新処理が実行されるときには割込禁止状態とされ、表示用乱数更新処理および初期値用乱数更新処理の実行が終了すると割込許可状態とされる。表示用乱数とは、可変表示装置９に表示される図柄を決定するための乱数であり、表示用乱数更新処理とは、表示用乱数を発生するためのカウンタのカウント値を更新する処理である。また、初期値用乱数更新処理とは、初期値用乱数を発生するためのカウンタのカウント値を更新する処理である。初期値用乱数とは、大当りとするか否かを決定するための乱数を発生するためのカウンタ（大当り判定用乱数発生カウンタ）等の、カウント値の初期値を決定するための乱数である。後述する遊技制御処理において、大当り判定用乱数発生カウンタのカウント値が１周すると、そのカウンタに初期値が設定される。
【００５４】
次に、２ｍｓ毎に発生するタイマ割込を契機として実行されるタイマ割込処理（遊技制御処理）について説明する。
タイマ割込が発生すると、ＣＰＵ５６は、遊技制御処理を実行する。遊技制御処理において、ＣＰＵ５６は、まず、電源断信号が出力されたか否か（オン状態になったか否か）を検出する電源断検出処理を実行する。電源断信号は、例えば電源基板に搭載されている電圧低下監視回路が、遊技機に供給される電源の電圧の低下を検出した場合に出力する。そして、電源断検出処理において、ＣＰＵ５６は、電源断信号が出力されたことを検出したら、必要なデータをバックアップＲＡＭ領域に保存するための電力供給停止時処理を実行する。次いで、スイッチ回路５８を介して、ゲートスイッチ３２ａ、始動口スイッチ１４ａ、カウントスイッチ２３および入賞口スイッチ２４ａ等のスイッチの検出信号を入力し、それらの状態判定を行う（スイッチ処理）。
【００５５】
次に、遊技制御に用いられる大当り判定用の乱数等の各判定用乱数を生成するための各カウンタのカウント値を更新する処理を行う（判定用乱数更新処理）。ＣＰＵ５６は、さらに、初期値用乱数を生成するためのカウンタのカウント値を更新する処理および表示用乱数を生成するためのカウンタのカウント値を更新する処理を行う（表示用乱数更新処理）。
【００５６】
図３は、各乱数を示す説明図である。各乱数を示す説明図である。各乱数は、以下のように使用される。
（１）ランダム１：大当りを発生させるか否か決定する（大当り判定用）
（２）ランダム２−１〜２−３（ランダム２）：特別図柄の左中右のはずれ図柄決定用（特別図柄左中右）
（３）ランダム３：大当りを発生させる特別図柄の組合せを決定する（大当り図柄決定用）
（４）ランダム４：特別図柄の変動パターンを決定する（変動パターン決定用）
（５）ランダム５：大当りを発生させない場合にリーチとするか否かを決定する（リーチ判定用）
（６）ランダム６：普通図柄にもとづく当りを発生させるか否か決定する（普通図柄当り判定用）
（７）ランダム７：ランダム１の初期値を決定する（ランダム１初期値決定用）
（８）ランダム８：ランダム６の初期値を決定する（ランダム６初期値決定用）
（９）ランダム９：予告演出を実行するか否かを決定する（予告判定用）
（１０）ランダム１０：予告演出の演出態様を決定する（予告態様決定用）
【００５７】
遊技制御処理における判定用乱数更新処理では、ＣＰＵ５６は、（１）の大当り判定用乱数、（３）の大当り図柄決定用乱数、（６）の普通図柄当り判定用乱数、および（９）の予告判定用乱数を生成するためのカウンタのカウントアップ（１加算）を行う。すなわち、それらが判定用乱数であり、それら以外の乱数が表示用乱数または初期値用乱数である。なお、遊技効果を高めるために、上記（１）〜（１０）の乱数以外の普通図柄に関する乱数等も用いられている。
【００５８】
さらに、ＣＰＵ５６は、特別図柄プロセス処理を行う。特別図柄プロセス制御では、遊技状態に応じてパチンコ遊技機１を所定の順序で制御するための特別図柄プロセスフラグに従って該当する処理が選び出されて実行される。そして、特別図柄プロセスフラグの値は、遊技状態に応じて各処理中に更新される。また、普通図柄プロセス処理を行う。普通図柄プロセス処理では、普通図柄表示器１０の表示状態を所定の順序で制御するための普通図柄プロセスフラグに従って該当する処理が選び出されて実行される。そして、普通図柄プロセスフラグの値は、遊技状態に応じて各処理中に更新される。
【００５９】
次いで、ＣＰＵ５６は、特別図柄に関する演出制御コマンドをＲＡＭ５５の所定の領域に設定して演出制御コマンドを送出する処理を行う（特別図柄コマンド制御処理）。また、普通図柄に関する演出制御コマンドをＲＡＭ５５の所定の領域に設定して演出制御コマンドを送出する処理を行う（普通図柄コマンド制御処理）。
【００６０】
さらに、ＣＰＵ５６は、例えばホール管理用コンピュータに供給される大当り情報、始動情報、確率変動情報などのデータを出力する情報出力処理を行う。
【００６１】
また、ＣＰＵ５６は、入賞口スイッチ２９ａ，３０ａ，３３ａ，３９ａの検出信号にもとづく賞球個数の設定などを行う賞球処理を実行する。
【００６２】
そして、ＣＰＵ５６は、始動入賞記憶数の増減をチェックする記憶処理を実行する。記憶処理では、ＣＰＵ５６は、始動入賞記憶カウンタのカウント値が前回始動入賞記憶カウンタのカウント値と同じであるか否か確認し、同じでなければ、すなわち始動入賞記憶数に変化が生じていれば、始動入賞記憶数に応じた始動入賞記憶指定のコマンド送信テーブルのアドレスをポインタにセットし、サブルーチンであるコマンドセット処理を実行する。そして、始動入賞記憶カウンタのカウント値を、前回始動入賞記憶カウンタに設定しておく。このようにして、記憶処理において、始動入賞記憶数が変化したときには、演出制御基板８０に搭載されている演出制御手段に対して、始動入賞記憶数指定の演出制御コマンドが送信される。
【００６３】
また、遊技機の制御状態を遊技機外部で確認できるようにするための試験信号を出力する処理である試験端子処理を実行する。さらに、所定の条件が成立したときにソレノイド回路５９に駆動指令を行う。可変入賞球装置１５または開閉板２０を開状態または閉状態としたり、大入賞口内の遊技球通路を切り替えたりするために、ソレノイド回路５９は、駆動指令に応じてソレノイド１６，２１，２１Ａを駆動する。その後、割込許可状態に設定する。
【００６４】
この実施の形態では、以上のような遊技制御処理が実行され、この遊技制御処理は２ｍｓ毎に起動されることになる。なお、この実施の形態では、タイマ割込処理で遊技制御処理が実行されているが、タイマ割込処理では例えば割込が発生したことを示すフラグのセットのみがなされ、遊技制御処理はメイン処理において実行されるようにしてもよい。
【００６５】
図４は、ＣＰＵ５６が実行する特別図柄プロセス処理のプログラムの一例を示すフローチャートである。図４に示す処理は、上述した遊技制御処理における特別図柄プロセス処理の具体的な処理である。ＣＰＵ５６は、特別図柄プロセス処理を行う際に、変動短縮タイマ減算処理（ステップＳ３１０）を行い、遊技盤６に設けられている始動入賞口１４に遊技球が入賞したことを検出するための始動口スイッチ１４ａがオンしていたら、すなわち遊技球が始動入賞口１４に入賞する始動入賞が発生していたら（ステップＳ３１１）、始動口スイッチ通過処理（ステップＳ３１２）を行った後に、内部状態に応じて、ステップＳ３００〜Ｓ３０８のうちのいずれかの処理を行う。変動短縮タイマは、特別図柄の変動時間が短縮される場合に、変動時間を設定するためのタイマである。
【００６６】
特別図柄通常処理（ステップＳ３００）：特別図柄の可変表示を開始できる状態になるのを待つ。特別図柄の可変表示が開始できる状態になると、始動入賞記憶数を確認する。始動入賞記憶数が０でなければ、特別図柄の可変表示の結果、大当りとするか否か決定する。そして、内部状態（特別図柄プロセスフラグ）をステップＳ３０１に移行するように更新する。
【００６７】
特別図柄停止図柄設定処理（ステップＳ３０１）：特別図柄の可変表示後の左中右図柄の停止図柄を決定する。そして、内部状態（特別図柄プロセスフラグ）をステップＳ３０２に移行するように更新する。
【００６８】
変動パターン設定処理（ステップＳ３０２）：特別図柄の可変表示の変動パターン（可変表示態様）を、ランダム４の値に応じて決定する。また、変動時間タイマをスタートさせる。このとき、演出制御基板８０に対して、左中右最終停止図柄と変動態様（変動パターン）を指令する情報とが送信される。そして、内部状態（特別図柄プロセスフラグ）をステップＳ３０３に移行するように更新する。
【００６９】
特別図柄変動処理（ステップＳ３０３）：所定時間（ステップＳ３０２の変動時間タイマで示された時間）が経過すると、内部状態（特別図柄プロセスフラグ）をステップＳ３０４に移行するように更新する。
【００７０】
特別図柄停止処理（ステップＳ３０４）：可変表示装置９において表示される全図柄が停止されるように制御する。具体的には、特別図柄停止を示す演出制御コマンドが送信される状態に設定する。そして、停止図柄が大当り図柄の組み合わせである場合には、内部状態（特別図柄プロセスフラグ）をステップＳ３０５に移行するように更新する。そうでない場合には、内部状態をステップＳ３００に移行するように更新する。
【００７１】
大入賞口開放前処理（ステップＳ３０５）：大入賞口を開放する制御を開始する。具体的には、カウンタやフラグを初期化するとともに、ソレノイド２１を駆動して大入賞口を開放する。また、プロセスタイマによって大入賞口開放中処理の実行時間を設定し、大当り中フラグをセットする。そして、内部状態（特別図柄プロセスフラグ）をステップＳ３０６に移行するように更新する。
【００７２】
大入賞口開放中処理（ステップＳ３０６）：大入賞口ラウンド表示の演出制御コマンドを演出制御基板８０に送出する制御や大入賞口の閉成条件の成立を確認する処理等を行う。最後の大入賞口の閉成条件が成立したら、内部状態をステップＳ３０７に移行するように更新する。
【００７３】
特定領域有効時間処理（ステップＳ３０７）：Ｖ入賞スイッチ２２の通過の有無を監視して、大当り遊技状態継続条件の成立を確認する処理を行う。大当り遊技状態継続の条件が成立し、かつ、まだ残りラウンドがある場合には、内部状態をステップＳ３０５に移行するように更新する。また、所定の有効時間内に大当り遊技状態継続条件が成立しなかった場合、または、全てのラウンドを終えた場合には、内部状態をステップＳ３０８に移行するように更新する。
【００７４】
大当り終了処理（ステップＳ３０８）：大当り遊技状態が終了したことを遊技者に報知する表示制御を演出制御手段に行わせるための制御を行う。そして、内部状態をステップＳ３００に移行するように更新する。
【００７５】
図５は始動口スイッチ通過処理（ステップＳ３１２）を示すフローチャートである。始動口スイッチ通過処理において、ＣＰＵ５６は、始動入賞記憶数が最大値である４に達しているかどうか確認する（ステップＳ１１１）。始動入賞記憶数が４に達していなければ、始動入賞記憶数を１増やし（ステップＳ１１２）、大当り判定用乱数等の各乱数の値を抽出し、それらを始動入賞記憶数の値に対応した保存領域（特別図柄判定用バッファ）に格納する（ステップＳ１１３）。なお、乱数を抽出するとは、乱数を生成させるためのカウンタからカウント値を読み出して、読み出したカウント値を乱数値とすることである。ステップＳ１１３では、図３に示された乱数のうち、ランダム１〜ランダム５が抽出される。そして、変動時間を短縮するか否かの判定を行うための変動時間短縮判定時間をセットする（ステップＳ１１４）。さらに、予告設定処理を実行する（ステップＳ１１５）。
【００７６】
なお、この実施の形態では、左中右の特別図柄は、それぞれ、「０」〜「１１」の１２通りあって、可変表示装置９において「０」から順に特別図柄の表示が変化することによって特別図柄の変動が実現される。なお、特別図柄の変動中において、表示図柄の表示は非連続的に変化してもよい。また、特別図柄の最終停止図柄（確定図柄）が左中右揃った場合に大当りとなり、左右が揃った場合にリーチとなる。そして、大当りとなる場合において、奇数図柄で揃ったときには、大当り遊技終了後に高確率状態に移行する。また、高確率状態において、大当りが発生すると、または、所定回の特別図柄の変動が行われると高確率状態は終了し低確率状態に戻る。
【００７７】
図６，図７は、始動口スイッチ通過処理における予告設定処理（ステップＳ１１５）を示すフローチャートである。予告設定処理において、ＣＰＵ５６は、連続予告演出を実現するための予告演出の実行回数のうち、未だ実行されていない残りの回数が記憶されている実行回数カウンタを読み出す（ステップＳ２０１）。
【００７８】
読み出した実行回数カウンタのカウント値が０であった場合には（ステップＳ２０２）、ＣＰＵ５６は、始動入賞カウンタのカウント値を処理数に設定するとともに（ステップＳ２０３）、検査回数カウンタのカウント値を初期値である０に設定する（ステップＳ２０４）。なお、検査回数カウンタは、後述するステップＳ２０５〜ステップＳ２１０のループ処理の繰り返し回数をカウントするためのカウンタである。
【００７９】
次いで、ＣＰＵ５６は、検査回数カウンタのカウント値を１加算し（ステップＳ２０５）、始動入賞記憶数＝（検査回数カウンタのカウント値が示す数）に対応する保存領域に格納されている大当り判定用乱数値を読み出して（ステップＳ２０６）、大当り判定モジュールを実行する。すなわち、大当り判定サブルーチンをコールする（ステップＳ２０７）。大当り判定モジュールにおいて、読み出した大当り判定用乱数値にもとづいて大当りとならないと判定された場合には（ステップＳ２０８のＮ）、ＣＰＵ５６は、処理数を１減算し（ステップＳ２０９）、減算後の処理数が０になっていなければステップＳ２０５の処理に移行する（ステップＳ２１０のＹ）。
【００８０】
すなわち、この例では、ステップＳ２０５〜ステップＳ２１０の処理が、処理数が０になるまで繰り返し実行される。ただし、この例では、ステップＳ２０５〜ステップＳ２１０のループ処理におけるステップＳ２０７において大当りとなるとの判定がなされると（ステップＳ２０８のＹ）、その時点でループ処理を終了する。つまり、ステップＳ２０５〜ステップＳ２１０では、保留中の可変表示の中に大当りとなるものがあると判定されるまで、または、処理数が０となるまで（保留中の可変表示についての判定を全て終えるまで）、始動入賞記憶数＝１〜４に対応するそれぞれの保存領域に格納されている各大当り判定用乱数値が、抽出された時期が早い方から順番に読み出され、大当りとなるか否かの判定が実行される。
【００８１】
ＣＰＵ５６は、ステップＳ２０７において大当りとなると判定された場合には（ステップＳ２０８のＹ）、大当りあり時の予告判定テーブル（図９（Ｃ）の右側のテーブル参照）を使用テーブルとして設定する（ステップＳ２１１）。
【００８２】
そして、ＣＰＵ５６は、検査回数カウンタのカウント値が２以上であれば（ステップＳ２１２のＹ）、予告判定用乱数を抽出し（ステップＳ２１３）、予告判定用乱数が、使用テーブルとして設定されている予告判定テーブルに設定されている値のいずれかと一致したら保留表示予告を行うことに決定する（ステップＳ２１４）。なお、この例では、保留表示予告を行うことに決定されたときには、連続予告をも行うことに決定されるものとする。
【００８３】
保留表示予告および連続予告を行うと判定された場合には（ステップＳ２１５のＹ）、ＣＰＵ５６は、連続予告における予告演出の連続回数の残数をカウントする実行回数カウンタに、検査回数カウンタのカウント値を設定する（ステップＳ２１６）。次いで、ＣＰＵ５６は、予告態様決定用乱数値を抽出し、その予告態様決定用乱数にもとづいて連続予告の予告態様（予告パターン）と、保留表示予告の予告態様とを決定する（ステップＳ２１７）。
【００８４】
ステップＳ２１７での予告パターンの決定には、例えば、予告態様決定用乱数の抽出値と比較される比較値が振り分けられた予告パターン決定用テーブル（図示せず）が用いられる。予告パターン決定用テーブルには、例えば、４種類の予告演出Ａ〜予告演出Ｄを用いた連続回数分の予告演出の組合せが予め設定されており、その組合せに比較値が振り分けされている。従って、ステップＳ２１７では、連続回数分の予告演出が決定される。
【００８５】
具体的には、ステップＳ２１６において実行回数カウンタに「４」が設定された場合には、ステップＳ２１７において４回分の予告演出の組合せが予め設定されている予告パターン決定用テーブルが用いられ、抽出された予告態様決定用乱数値によって４回分の可変表示それぞれで実行される各予告演出が決定される。例えば、予告演出Ａ、予告演出Ｃ、予告演出Ｂ、予告演出Ｄの順番で連続的に予告演出が実行されることで連続予告演出が行われることが決定される。
【００８６】
ステップＳ２１７での保留表示予告の予告態様の決定には、予告態様決定用乱数の抽出値と比較される比較値が振り分けられた予告種類決定用テーブル（図示せず）が用いられる。予告種類決定用テーブルには、この例では、予告演出１と予告演出２の２種類の予告態様が設定されており、各予告態様に比較値が振り分けされている。なお、比較値は、図９（Ｄ）に示す予告種類選択率となるように各予告態様に振り分けされている。
【００８７】
なお、保留表示予告とは、始動記憶表示エリア１８の表示態様を変更することによって、表示態様が変更された保留記憶に対応する可変表示において大当りが発生することを遊技者に報知するための予告演出を意味する。この実施の形態では、大当りが発生することになる保留記憶に対応した始動記憶表示エリア１８の表示態様を変更する。すなわち、その始動記憶表示エリア１８の表示態様を特別の保留表示態様にする。
【００８８】
ステップＳ２１２にて検査回数カウンタのカウント値が２以上でなければ、あるいはステップＳ２１５にて保留表示予告を行わないと判定した場合には、ＣＰＵ５６は、ステップＳ２３６の処理に移行する。
【００８９】
また、ＣＰＵ５６は、保留記憶の中に大当りとするものがなかった場合には（ステップＳ２１０のＮ）、大当りなし時の予告判定テーブル（図９（Ｃ）の左側のテーブル）を使用テーブルとして設定する（ステップＳ２２５）。
【００９０】
そして、ＣＰＵ５６は、始動入賞カウンタのカウント値が２以上であれば（ステップＳ２２６）、予告判定用乱数を抽出し（ステップＳ２２７）、予告判定用乱数が、使用テーブルとして設定されている予告判定テーブルに設定されている値のいずれかと一致したら保留表示予告を行うことに決定する（ステップＳ２２８）。また、保留表示予告を行うことに決定されたときには、連続予告をも行うことに決定される。
【００９１】
保留表示予告および連続予告を行うと判定された場合には（ステップＳ２２９のＹ）、ＣＰＵ５６は、連続予告における予告演出の連続回数の残数をカウントする実行回数カウンタに、始動入賞カウンタのカウント値を設定する（ステップＳ２３０）。次いで、ＣＰＵ５６は、予告態様決定用乱数値を抽出し、その予告態様決定用乱数にもとづいて連続予告の予告態様（予告パターン）を決定する（ステップＳ２３１）。
【００９２】
ステップＳ２３１での予告パターンの決定には、例えば、予告態様決定用乱数の抽出値と比較される比較値が振り分けられた予告パターン決定用テーブル（図示せず）が用いられる。予告パターン決定用テーブルには、例えば、４種類の予告演出Ａ〜予告演出Ｄを用いた連続回数分の予告演出の組合せが予め設定されており、その組合せに比較値が振り分けされている。従って、ステップＳ２３１では、連続回数分の予告演出が決定される。
【００９３】
ステップＳ２３１での保留表示予告の予告態様の決定には、予告態様決定用乱数の抽出値と比較される比較値が振り分けられた予告種類決定用テーブル（図示せず）が用いられる。予告種類決定用テーブルには、この例では、予告演出１と予告演出２の２種類の予告態様が設定されており、各予告態様に比較値が振り分けされている。なお、比較値は、図９（Ｅ）に示す予告種類選択率となるように各予告態様に振り分けされている。
【００９４】
なお、ステップＳ２２６にて始動入賞カウンタのカウント値が２以上でなければ、あるいはステップＳ２２９にて保留表示予告を行わないと判定した場合には、ＣＰＵ５６は、ステップＳ２３６の処理に移行する。
【００９５】
ステップＳ２１７またはステップＳ２３１にて保留表示予告の予告態様を決定すると、ＣＰＵ５６は、予告演出１に決定したときには（ステップＳ２３２のＹ）、予告演出１指定のコマンド送信テーブルのアドレスをポインタにセットし（ステップＳ２３３）、サブルーチンであるコマンドセット処理を実行する（ステップＳ２３５）。また、予告演出２に決定したときには（ステップＳ２３２のＮ）、予告演出２指定のコマンド送信テーブルのアドレスをポインタにセットし（ステップＳ２３４）、サブルーチンであるコマンドセット処理を実行する（ステップＳ２３５）。
【００９６】
コマンドセット処理を実行することによって演出制御コマンドが演出制御基板８０に送信される。この実施の形態では、演出制御手段に送信されうる各演出制御コマンドはＲＯＭ５４のコマンド送信テーブルに格納されている。また、コマンドセット処理では、ＣＰＵ５６は、ポインタが示すＲＯＭ５４のアドレスに格納されている演出制御コマンドデータを、演出制御コマンドデータを出力するための出力ポートに設定するとともに、コマンドを送信することを示す演出制御ＩＮＴ信号を出力する。
【００９７】
また、保留表示予告を行わないことに決定されている場合には、ＣＰＵ５６は、予告演出無指定のコマンド送信テーブルのアドレスをポインタにセットし（ステップＳ２３６）、サブルーチンであるコマンドセット処理を実行する（ステップＳ２３７）。
【００９８】
以上のような処理によって、この実施の形態では、保留記憶中に大当りとなるものがあった場合に、連続予告および保留表示予告を実行可能になる。また、この実施の形態では、大当りとならない場合にも、すなわち、保留記憶中に大当りとなるものがない場合でも、連続予告および保留表示予告を実行可能とする構成としている。ただし、ステップＳ２１４とステップＳ２２８とで異なる予告判定テーブルを用いた判定処理を行う構成として、保留記憶中に大当りとなるものがない場合と比較して、保留記憶中に大当りとなるものがあった場合は高確率で連続予告および保留表示予告が出現するようにしている。
【００９９】
なお、保留記憶中に大当りとなるものがあった場合にのみ、連続予告および保留表示予告を実行可能になるように制御してもよい。さらに、連続予告演出を行わない遊技機において保留表示予告演出を実行しても、遊技の興趣を増進させることができる。
【０１００】
図８は、変動開始時処理を示すフローチャートである。変動開始時処理は、特別図柄プロセス処理における特別図柄通常処理（ステップＳ３００）、特別図柄停止図柄設定処理（ステップＳ３０１）、および変動パターン設定処理（ステップＳ３０２）をまとめて示す処理である。
【０１０１】
変動開始時処理において、ＣＰＵ５６は、特別図柄の変動を開始することができる状態（例えば特別図柄プロセスフラグの値がステップＳ３００を示す値となっている場合）には（ステップＳ５１）、始動入賞記憶数（保留記憶数）の値を確認する（ステップＳ５２）。具体的には、始動入賞カウンタのカウント値を確認する。なお、特別図柄プロセスフラグの値がステップＳ３００を示す値となっている場合とは、可変表示装置９において図柄の変動がなされておらず、かつ、大当り遊技中でもない場合である。
【０１０２】
始動入賞記憶数が０でなければ、始動入賞記憶数＝１に対応する保存領域に格納されている各乱数値を読み出してＲＡＭ５５の乱数バッファ領域に格納するとともに（ステップＳ５３）、始動入賞記憶数の値を１減らし（始動入賞記憶カウンタのカウント値を１減らし）、かつ、各保存領域の内容をシフトする（ステップＳ５４）。すなわち、始動入賞記憶数＝ｎ（ｎ＝２，３，４）に対応する保存領域に格納されている各乱数値を、始動入賞記憶数＝ｎ−１に対応する保存領域に格納する。よって、各始動入賞記憶数に対応するそれぞれの保存領域に格納されている各乱数値が抽出された順番は、常に、始動入賞記憶数＝１，２，３，４の順番と一致するようになっている。すなわち、この例では、ＣＰＵ５６は、可変表示の開始条件が成立する毎に、各保存領域の内容をシフトする処理を実行するので、始動入賞が生じたときに実行された入賞時判定処理の判定結果が、いずれの始動入賞記憶に対応するのかを容易に特定することができる。
【０１０３】
次いで、ＣＰＵ５６は、乱数格納バッファから大当り判定用乱数を読み出し（ステップＳ５５）、大当り判定モジュールを実行する（ステップＳ５６）。大当りとすることに決定しない場合には、乱数格納バッファからリーチ判定用乱数を読み出して、リーチ判定モジュールを実行する（ステップＳ５７）。
【０１０４】
大当りの有無（はずれの場合にはリーチの有無）を決定すると、ＣＰＵ５６は、始動入賞記憶数＝１に対応する保存領域に保存されているランダム３の格納値（大当りとする場合）、あるいは、ランダム２の格納値（はずれとする場合）を抽出し、特別図柄の停止図柄を決定する（ステップＳ５８）。
【０１０５】
また、ＣＰＵ５６は、実行回数カウンタをロードし（ステップＳ５９）、カウント値が０でなければ１減算し（ステップＳ６０，Ｓ６１）、変動パターン決定用乱数カウンタから変動パターン決定用乱数を抽出し（ステップＳ６２）、抽出した変動パターン決定用乱数の値に応じて変動パターンを決定する。具体的には、ステップＳ６２において、あらかじめ用意されている複数種類の変動パターンの中から、あらかじめ定められている変動パターン選択用のテーブルに配されている比較値のうち、抽出した変動パターン決定用乱数の値と一致する比較値が対応付けられている変動パターンとすることに決定される。なお、本例では、連続予告演出による予告演出が実行される場合には、その予告演出を含む変動パターンが選択される。
【０１０６】
変動パターンを決定すると、ＣＰＵ５６は、決定した変動パターンの変動時間データを特別図柄プロセスタイマに設定する（ステップＳ６４）。そして、ＣＰＵ５６は、決定した変動パターン指定のコマンド送信テーブルのアドレスをポインタにセットし（ステップＳ６５）、サブルーチンであるコマンドセット処理を実行する（ステップＳ６６）。そして、内部状態（特別図柄プロセスフラグ）をステップＳ３０３に移行するように更新する。
【０１０７】
図９（Ａ）は、大当り判定モジュールで用いられる大当り判定テーブルの一例を示す説明図である。また、図９（Ｂ）は、リーチ判定モジュールで用いられるリーチ判定テーブルの一例を示す説明図である。図９（Ｃ）は、予告設定処理で用いられる予告判定テーブルの一例を示す説明図である。図９（Ｄ）は、大当りあり時の予告種類選択率の一例を示す説明図である。図９（Ｅ）は、大当りなし時の予告種類選択率の一例を示す説明図である。
【０１０８】
図９（Ａ）に示すように、この実施の形態では、低確率時（非確変時）では大当り判定値は「３」であり、高確率時（確変時）では大当り判定値は「３」、「７」、「７９」、「１０３」、「１０７」である。また、図９（Ｂ）に示すように、低確率時（非確変時）ではリーチ判定値は「０」、「１」、「１１」であり、高確率時ではリーチ判定値は「０」、「１」、「９」、「１１」、「１２」である。さらに、図９（Ｃ）に示すように、保留記憶に大当りにならないがリーチとなるものがあったときには予告判定値は「０」、「７」、「１７」であり、保留記憶中に大当りとなるものがあったときには予告判定値は「０」〜「３０」、「７０」〜「９９」である。
【０１０９】
また、図９（Ｄ）に示すように、この実施の形態では、大当りあり時に保留表示予告が実行される場合には、６０／６４の高確率で予告演出１の予告態様とすることに決定され、４／６４の低確率で予告演出２の予告態様とすることに決定される。さらに、図９（Ｅ）に示すように、この実施の形態では、大当りなし時に保留表示予告が実行される場合には、４／６４の低確率で予告演出１の予告態様とすることに決定され、６０／６４の高確率で予告演出２の予告態様とすることに決定される。すなわり、本例では、予告演出１が比較的信頼度の高い予告態様であり、予告演出２が信頼度の低い予告態様として用いられる。
【０１１０】
図１０は、ステップＳ５６等で使用される大当り判定モジュールを示すフローチャートである。大当り判定処理において、ＣＰＵ５６は、まず、設定されているパラメータを用いて確変中であるか否か判定する（ステップＳ１４１）。
【０１１１】
この例では、大当り判定モジュールが実行される前に確変中であるか否かを判定するためのパラメータが設定される。ステップＳ１４１では、設定されたパラメータによって、そのときの状態が確変中であるか否か、あるいは将来の所定の可変表示の開始時の状態が確変中であるか否かが判定される。
【０１１２】
具体的には、可変表示の開示条件成立時に大当り判定処理が実行される場合には（例えばステップ５６にて呼び出される場合）、その前（例えばステップＳ５６にて大当り判定モジュールを呼び出す前）に、現在の遊技状態を示す現在遊技状態情報がパラメータとして設定される。現在遊技状態情報は、例えば確変フラグによる確変状態であるか否かを示す情報である。
【０１１３】
また、可変表示の実行条件成立時に大当り判定処理が実行される場合には（例えばステップＳ２０７にて呼び出される場合）、その前（例えばステップＳ２０７にて大当り判定モジュールを呼び出す前）に、大当り判定の対象となる可変表示の開始時の遊技状態を示す保留遊技状態情報がパラメータとして設定される。保留遊技状態情報は、保留遊技状態フラグによる確変状態であるか否かを示す情報である。そして、確変状態にて１００回の回転（可変表示演出）まで高確率状態が維持される場合には、確変状態での可変表示の残り回数をカウントする回転数カウンタと、その回転数カウンタのカウント数からステップＳ２０５〜ステップＳ２１０のループ処理の実行回数を減算した値（負の値となるときは０とする）が格納される保留回転数カウンタとを備え、ＣＰＵ５６が、ステップＳ２０７の実行前に、保留回転数カウンタのカウント値が０であるか否かを判定し、０であれば保留遊技状態フラグをオフ状態（非確変状態を示す状態）し、０でなければ保留遊技状態フラグをオン状態（確変状態を示す状態）に維持するようにすればよい。
【０１１４】
確変中であれば、図９（Ａ）に示された大当り判定テーブル中の高確率時のテーブルを使用することに決定する（ステップＳ１４３）。確変中でなければ、大当り判定テーブル中の低確率時のテーブルを使用することに決定する（ステップＳ１４４）。
【０１１５】
そして、抽出されているランダム１の値に一致する値が大当り判定テーブル中にあるか否か判定し（ステップＳ１４５，Ｓ１４６）、一致する値があれば大当であると判定し（ステップＳ１４７）、一致する値がなければ大当りでないと判定する（ステップＳ１４８）。
【０１１６】
図１１は、大当り判定モジュールの呼び出し方法を説明するための説明図である。この実施の形態では、大当り判定を行う際に、大当り判定モジュールをリスタート命令によって呼び出す。この例では、ＲＯＭ５４内の所定のプログラムアドレスが示す場所にＣＰＵ５６が実行する各処理の制御プログラムが格納されている。具体的には、例えば図１１に示すように、プログラムアドレス００００（Ｈ）にメイン処理プログラムが格納され、プログラムアドレス０００８（Ｈ）に共通モジュールＡが格納され、プログラムアドレス００１０（Ｈ）に共通モジュールＢが格納され、プログラムアドレス００１８（Ｈ）に共通モジュールＣが格納され、プログラムアドレス００２０（Ｈ）に共通モジュールＤが格納され、プログラムアドレス００２８（Ｈ）に共通モジュールＥが格納され、プログラムアドレス００１０（Ｈ）に共通モジュールＢが格納されている。なお、メイン処理の続きはプログラムアドレス００７８（Ｈ）に格納されている。
【０１１７】
図１１に示すように、リスタート命令で呼び出す各制御プログラムが格納されているプログラムアドレスには、それぞれパラメータが与えられている。具体的には、例えばプログラムアドレス０００８（Ｈ）にはパラメータ００１（Ｂ）が、プログラムアドレス００１０（Ｈ）にはパラメータ０１０（Ｂ）が、プログラムアドレス００１８（Ｈ）にはパラメータ０１１（Ｂ）が、プログラムアドレス００２０（Ｈ）にパラメータ１００（Ｂ）が、プログラムアドレス００２８（Ｈ）にはパラメータ１０１（Ｂ）が対応付けされる。すなわち、１６進数４桁のプログラムアドレスに、２進数３桁のパラメータがそれぞれ対応付けされている。
【０１１８】
そして、リスタート命令により制御プログラムを呼び出すときには、パラメータを利用する。この例では、リスタート命令のオペコード内に２進数３桁の変数ｔを設け、その変数にパラメータを代入したオペコードを用いてリスタート命令を行う。具体的には、リスタート命令にてオペコード１１ｔ１１１（Ｂ）と定義され、その変数ｔにパラメータを代入して得られる２進数８桁のオペコードを用いてリスタート命令がなされる。
【０１１９】
例えば大当り判定モジュールが共通モジュールＢであるとした場合に、大当り判定モジュールをリスタート命令により呼び出すときには、プログラムアドレス００１０（Ｈ）に与えられているパラメータ０１０（Ｂ）を変数ｔに代入したオペコード１１０１０１１１（Ｂ）が使用される。よって、オペコードＤ７（Ｈ）という１バイトデータによって大当り判定モジュールを呼び出すことができる。これに対し、コール命令で呼び出す場合には、コール命令のオペコードＣＤ（Ｈ）と１６進数４桁のプログラムアドレスをが使用されるため、３バイトデータによって呼び出されることになる。よって、リスタート命令で呼び出しを行う場合は、コール命令による場合よりも簡単かつ迅速に呼び出すことができるのである。
【０１２０】
図１２は、遊技状態指定処理の例を示すフローチャートである。遊技状態指定処理は、例えば遊技制御処理内で実行される。遊技状態指定処理において、ＣＰＵ５６は、確変フラグがオンした場合には（ステップＳ１７１のＹ）、確変状態開始指定のコマンド送信テーブルのアドレスをポインタにセットし（ステップＳ１７２）、サブルーチンであるコマンドセット処理を実行する（ステップＳ１７３）。確変フラグは、現在の遊技状態が確変状態であるか否かを示すフラグである。確変フラグは、確変状態が開始されたとき（非確変時に確変図柄で大当りとなり、その大当り遊技が終了したとき）にオン状態とされ、確変状態が終了したとき（確変時に所定回数連続して非確変大当たりとなり、最後の非確変大当りの大当り遊技が終了したとき。あるいは、確変時に所定回数を上限とする時短演出が実行される場合に、時短による可変表示演出が所定回数実行されたとき。）にオフ状態とされる。
【０１２１】
一方、ＣＰＵ５６は、確変フラグがオフした場合には（ステップＳ１７４のＹ）、確変状態終了指定のコマンド送信テーブルのアドレスをポインタにセットし（ステップＳ１７５）、サブルーチンであるコマンドセット処理を実行する（ステップＳ１７６）。
【０１２２】
次に、遊技制御手段から演出制御手段に対する制御コマンドの送出方式について説明する。この実施の形態では、演出制御コマンドは、演出制御信号Ｄ０〜Ｄ７の８本の信号線で主基板３１から演出制御基板８０に送信される。また、主基板３１と演出制御基板８０との間には、ストローブ信号（演出制御ＩＮＴ信号）を送信するための演出制御ＩＮＴ信号の信号線が配線されている。すなわち、制御コマンドは、８本の信号線と１本のＩＮＴ信号の信号線によって送信される。
【０１２３】
この実施の形態では、演出制御コマンドは２バイト構成であり、１バイト目はＭＯＤＥ（コマンドの分類）を表し、２バイト目はＥＸＴ（コマンドの種類）を表す。ＭＯＤＥデータの先頭ビット（ビット７）は必ず「１」とされ、ＥＸＴデータの先頭ビット（ビット７）は必ず「０」とされる。なお、そのようなコマンド形態は一例であって他のコマンド形態を用いてもよい。例えば、１バイトや３バイト以上で構成される制御コマンドを用いてもよい。
【０１２４】
演出制御コマンドの８ビットの演出制御コマンドデータは、演出制御ＩＮＴ信号に同期して出力される。演出制御基板８０に搭載されている演出制御手段は、演出制御ＩＮＴ信号が立ち上がったことを検知して、割込処理によって１バイトのデータの取り込み処理を開始する。従って、演出制御手段から見ると、演出制御ＩＮＴ信号は、演出制御コマンドデータの取り込みの契機となる取込信号に相当する。
【０１２５】
演出制御コマンドは、演出制御手段が認識可能に１回だけ送出される。認識可能とは、この例では、演出制御ＩＮＴ信号のレベルが変化することであり、認識可能に１回だけ送出されるとは、例えば演出制御コマンドデータの１バイト目および２バイト目のそれぞれに応じて演出制御ＩＮＴ信号が１回だけパルス状（矩形波状）に出力されることである。
【０１２６】
ここで、演出制御基板８０に送出される演出制御コマンドの内容の一例について説明する。特別図柄を可変表示する可変表示装置９における特別図柄の変動パターンを指定する演出制御コマンドは、コマンド８０００（Ｈ）〜８０５８（Ｈ）とされる。なお、変動パターンを指定するコマンド（変動パターンコマンド）は変動開始指示も兼ねている。
【０１２７】
普通図柄の変動パターンに関する演出制御コマンドは、コマンド８８ＸＸ（Ｈ）（Ｘ＝４ビットの任意の値）とされる。普通図柄の停止図柄を指定する演出制御コマンドは、コマンド８９ＸＸ（Ｈ）とされる。また、普通図柄の可変表示の停止を指示する演出制御コマンドは、コマンド８Ａ００（Ｈ）で表される。
【０１２８】
特別図柄の左中右の停止図柄を指定する演出制御コマンドは、コマンド９１ＸＸ（Ｈ）、９２ＸＸ（Ｈ）および９３ＸＸ（Ｈ）で表される。「ＸＸ」には図柄番号が設定される。また、特別図柄の可変表示の停止を指示する演出制御コマンドは、コマンドＡ０００（Ｈ）とされる。
【０１２９】
客待ちデモンストレーションを指定する演出制御コマンドは、コマンドＤ０００（Ｈ）で表される。
【０１３０】
可変表示装置９における始動入賞記憶数を表示する表示エリアにおいて、表示色を変化させる始動記憶表示エリア１８の個数を示す演出制御コマンドは、コマンドＥ０ＸＸ（Ｈ）とされる。例えば、演出制御手段は、各始動記憶表示エリア１８のうち「ＸＸ（Ｈ）」で指定される個数の始動記憶表示エリア１８の表示色を変化させる。すなわち、コマンドＥ０ＸＸ（Ｈ）は、保留個数という情報を報知するために設けられている表示エリアの制御を指示するコマンドである。なお、表示色を変化させる始動記憶表示エリア１８の個数に関するコマンドが、表示色を変化させるエリアの個数の増減を示すように構成されていてもよい。また、この実施の形態では、始動入賞記憶の上限値は４であるから、「ＸＸ」は０〜４のいずれかである。
【０１３１】
また、確変状態開始コマンドはコマンドＥ４００（Ｈ）とされ、確変状態終了コマンドはコマンドＥ４０１（Ｈ）とされる。これらのコマンドは、遊技状態指定処理（図１２）にて、低確率状態と高確率状態とが変化したときに送信される演出制御コマンドである。
【０１３２】
コマンドＥ５０１（Ｈ）は予告演出１指定コマンドとされ、コマンドＥ５０２（Ｈ）は予告演出２指定コマンドとされ、コマンドＥ５０３（Ｈ）は予告演出無指定コマンドとされる。これらのコマンドは、予告設定処理での判定結果によって送信される演出制御コマンドである。
【０１３３】
演出制御基板８０の演出制御手段は、主基板３１の遊技制御手段から演出制御コマンドを受信すると、その演出制御コマンドに応じて可変表示装置９および普通図柄表示器１０の表示状態を変更するとともに、ランプ・ＬＥＤの表示状態を変更し、必要ならば音声出力基板７０に対して音番号データを出力する。なお、上述した制御コマンド以外の制御コマンドも遊技制御手段から演出制御手段に送信される。例えば、賞球ランプ５１や球切れランプ５２の表示状態、および普通図柄始動記憶表示器４１の点灯個数を示す制御コマンド等や、大当り遊技に関するより詳細な演出制御コマンドも遊技制御手段から演出制御手段に送信される。
【０１３４】
可変表示の開始を示す可変表示開始指定コマンドおよび可変表示態様を特定可能な可変表示態様指定コマンドは、変動パターン指定の演出制御コマンドで実現され、識別情報の表示結果を特定可能な識別情報指定コマンドは、左図柄指定、中図柄指定、右図柄指定の演出制御コマンドで実現され、可変表示の終了を示す可変表示終了指定コマンドは、特別図柄停止の演出制御コマンドで実現されている。また、この実施の形態では、変動パターン指定の演出制御コマンドが可変表示の開始を示す可変表示開始指定コマンドおよび可変表示態様を特定可能な可変表示態様指定コマンドとして兼用されているが、可変表示開始指定コマンドと可変表示態様を特定可能な可変表示態様指定コマンドとを別にしてもよい。
【０１３５】
次に、演出制御手段の動作を説明する。まず、演出制御用ＣＰＵ１０１が実行するメイン処理について説明する。メイン処理では、ＲＡＭ領域のクリアや各種初期値の設定、また演出制御の起動間隔を決めるための２ｍｓタイマの初期設定等を行うための初期化処理が行われる。その後、演出制御用ＣＰＵ１０１は、タイマ割込フラグの監視の確認を行うループ処理に移行する。タイマ割込が発生すると、演出制御用ＣＰＵ１０１は、タイマ割込処理においてタイマ割込フラグをセットする。メイン処理において、タイマ割込フラグがセットされていたら、演出制御用ＣＰＵ１０１は、そのフラグをクリアし、以下の演出制御処理を実行する。
【０１３６】
この実施の形態では、タイマ割込は２ｍｓ毎にかかる。すなわち、演出制御処理は、２ｍｓ毎に起動される。また、この実施の形態では、タイマ割込処理ではフラグセットのみがなされ、具体的な演出制御処理はメイン処理において実行されるが、タイマ割込処理で演出制御処理を実行してもよい。
【０１３７】
演出制御処理において、演出制御用ＣＰＵ１０１は、まず、受信した演出制御コマンドを解析する（コマンド解析実行処理）。次いで演出制御用ＣＰＵ１０１は、演出制御プロセス処理を行う。演出制御プロセス処理では、制御状態に応じた各プロセスのうち、現在の制御状態に対応したプロセスを選択して実行する。その後、タイマ割込フラグの確認を行う処理に戻る。
【０１３８】
次に、主基板３１からの演出制御コマンド受信処理について説明する。主基板３１から受信した演出制御コマンドは、コマンド受信バッファに格納される。この例では、２バイト構成の演出制御コマンドを６個格納可能なリングバッファ形式のコマンド受信バッファが用いられる。従って、コマンド受信バッファは、受信コマンドバッファ１〜１２の１２バイトの領域で構成される。そして、受信したコマンドをどの領域に格納するのかを示すコマンド受信個数カウンタが用いられる。コマンド受信個数カウンタは、０〜１１の値をとる。なお、必ずしもリングバッファ形式でなくてもよく、例えば、図柄指定コマンド格納領域を３個（２×３＝６バイトのコマンド受信バッファ）、それ以外の変動パターン指定などのコマンド格納領域を１個（２×１＝２バイトのコマンド受信バッファ）のようなバッファ構成としてもよい。
【０１３９】
主基板３１からの演出制御用のＩＮＴ信号は演出制御用ＣＰＵ１０１の割込端子に入力されている。例えば、主基板３１からのＩＮＴ信号がオン状態になると、演出制御用ＣＰＵ１０１において割込がかかる。そして、演出制御用ＣＰＵ１０１は、割込処理において演出制御コマンドの受信処理を実行する。演出制御コマンドの受信処理において、演出制御用ＣＰＵ１０１は、受信した演出制御コマンドデータを、コマンド受信個数カウンタが示す受信コマンドバッファに格納する。
【０１４０】
図１３は、コマンド解析処理の具体例を示すフローチャートである。主基板３１から受信された演出制御コマンドは受信コマンドバッファに格納されるが、コマンド解析処理では、演出制御用ＣＰＵ１０１は、コマンド受信バッファに格納されているコマンドの内容を確認する。
【０１４１】
コマンド解析処理において、演出制御用ＣＰＵ１０１は、まず、コマンド受信バッファに受信コマンドが格納されているか否か確認する（ステップＳ６１１）。格納されているか否かは、コマンド受信個数カウンタの値と読出ポインタとを比較することによって判定される。両者が一致している場合が、受信コマンドが格納されていない場合である。コマンド受信バッファに受信コマンドが格納されている場合には、演出制御用ＣＰＵ１０１は、コマンド受信バッファから受信コマンドを読み出す（ステップＳ６１２）。なお、読み出したら読出ポインタの値を＋１しておく。
【０１４２】
受信した演出制御コマンドが確変状態開始指定の演出制御コマンドであれば（ステップＳ６１３）、演出制御用ＣＰＵ１０１は、確変状態開始指定フラグをセットする（ステップＳ６１４）。また、受信した演出制御コマンドが確変状態終了指定の演出制御コマンドであれば（ステップＳ６１５）、演出制御用ＣＰＵ１０１は、確変状態終了指定フラグをセットする（ステップＳ６１６）。
【０１４３】
受信した演出制御コマンドが始動入賞記憶数指定の演出制御コマンドであれば（ステップＳ６１８）、演出制御用ＣＰＵ１０１は、ＲＡＭにおける始動入賞数記憶領域の始動入賞記憶数を演出制御コマンドで指定された数に更新する（ステップＳ６１９）。また、可変表示装置９において表示色が変化している（オン表示している）始動記憶表示エリア１８の数を更新する（ステップＳ６２０）。この実施の形態では、オン表示の表示色は黄色であり、オフ表示（保留記憶がないことが示されている状態）の表示色は青色である。さらに、予告乱数カウンタの値を＋１する（ステップＳ６２１）。なお、予告乱数カウンタのカウント値が最大値を越えたら、その値を０に戻す。また、予告乱数カウンタが複数設けられている場合には、各予告乱数カウンタの歩進がなるべく同期しないように、例えば、予告乱数カウンタｎ（予告乱数カウンタが４つ設けられている場合であればｎ＝１〜３）のカウント値が０に戻されるときに、予告乱数カウンタｎ＋１のカウント値を＋１するようにしてもよい。
【０１４４】
また、始動入賞記憶数が減少した場合には（ステップＳ６２２）、保留表示予告実行フラグがセットされていれば、すなわち、保留表示予告の実行中であれば（ステップＳ６２３）、保留表示予告の対象となっている始動記憶表示エリア１８を１つずらす（ステップＳ６２４）。具体的には、ステップＳ６２４の更新前に４番目の始動記憶表示エリア１８が赤表示されていた場合には、３番目の始動記憶表示エリア１８を赤表示する。３番目の始動記憶表示エリア１８が赤表示されていた場合には、２番目の始動記憶表示エリア１８を赤表示する。２番目の始動記憶表示エリア１８が赤表示されていた場合には、１番目の始動記憶表示エリア１８を赤表示する。
【０１４５】
ステップＳ６２２〜Ｓ６２４の処理によって、保留表示予告の実行中に始動入賞記憶数が減少した場合には、４つの始動記憶表示エリア１８において、保留表示予告がなされる部分が１つずれる。
【０１４６】
さらに、保留表示予告がなされる部分が消滅する場合には（ステップＳ６２５）、保留表示予告実行フラグをリセットする（ステップＳ６２６）。保留表示予告がなされる部分が消滅する場合とは、保留表示予告の実行を開始する契機となった保留記憶（例えば大当りとなる保留記憶）にもとづく特別図柄の変動が開始される場合である。この実施の形態では、演出制御用ＣＰＵ１０１は、遊技制御手段から受信した予告演出１指定または予告演出２指定のコマンドを受信したときに１加算した始動入賞記憶数を残り回数カウンタ記憶しておき、可変表示が開始される毎に残り回数カウンタのカウント値を１減算していく処理を行う。よって、演出制御用ＣＰＵ１０１は、残り回数カウンタを確認することで、保留表示予告がなされる保留記憶表示部分が消滅するか否かを判定することができる。例えば、遊技制御手段から受信した予告演出１指定のコマンドで始動入賞記憶数が３に更新された場合、３番目の保留記憶が保留予告表示の対象となっている保留記憶表示であるから、可変表示演出が３回実行されると残り回数カウンタが０になり、保留表示予告がなされる保留記憶表示が消滅する。
【０１４７】
また、受信した演出制御コマンドが予告演出１指定の演出制御コマンドであれば（ステップＳ６３１）、演出制御用ＣＰＵ１０１は、予告演出１の演出態様で保留表示予告を開始する（ステップＳ６３２）。具体的には、始動入賞記憶数を１加算し、その加算した保留記憶に対応する保留記憶表示を予告演出１の演出態様で表示する。
【０１４８】
また、受信した演出制御コマンドが予告演出２指定の演出制御コマンドであれば（ステップＳ６３３）、演出制御用ＣＰＵ１０１は、遊技状態フラグの状態を確認し、確変中であれば（ステップＳ６３４のＹ）、予告演出１の演出態様で保留表示予告を開始する（ステップＳ６３５）。具体的には、始動入賞記憶数を１加算し、その加算した保留記憶に対応する保留記憶表示を予告演出１の演出態様で表示する。また、確変中でなければ（ステップＳ６３４のＮ）、予告演出２の演出態様で保留表示予告を開始する（ステップＳ６３６）。具体的には、始動入賞記憶数を１加算し、その加算した保留記憶に対応する保留記憶表示を予告演出２の演出態様で表示する。
【０１４９】
すなわち、受信した演出制御コマンドが予告演出２指定の演出制御コマンドであった場合には、確変状態モードであれば予告演出１の演出態様が選択され、通常状態モードであれば予告演出２の演出態様が選択される。
【０１５０】
また、ステップＳ６１２で読み出した受信コマンドがその他の演出制御コマンドである場合には、受信コマンドに対応するフラグをセットする（ステップＳ６３８）。なお、その他の演出制御コマンドが変動パターンコマンドである場合には、変動パターンコマンド受信フラグをセットするとともに、演出制御コマンド（８０ＸＸ（Ｈ））の「ＸＸ」で示されるＥＸＴデータを保存しておく処理を行う。また、その他の演出制御コマンドが特別図柄左指定の演出制御コマンドである場合には、演出制御コマンド（９１ＸＸ（Ｈ））の「ＸＸ」で示される左、中、右図柄を示すデータを、ＲＡＭにおける左、中、右図柄格納領域にそれぞれ格納する処理を行う。
【０１５１】
図１５は、予告態様決定用テーブルの例を示す説明図である。図１５に示すように、この実施の形態では、通常確率時（確変状態でない通常状態であるとき）には、予告演出１指定の演出制御コマンドを受信したときは予告演出１の演出態様で保留表示予告演出が実行され、予告演出２指定の演出制御コマンドを受信したときは予告演出２の演出態様で保留表示予告演出が実行される。すなわち、通常確率時には、受信した演出制御コマンドに応じた演出態様で保留表示予告が実行されることになる。
【０１５２】
また、図１５に示すように、この実施の形態では、高確率時（確変状態であるとき）には、予告演出１指定の演出制御コマンドを受信したときは予告演出１の演出態様で保留表示予告演出が実行され、予告演出２指定の演出制御コマンドを受信したときも予告演出１の演出態様で保留表示予告演出が実行される。すなわち、高確率時には、受信した予告演出指定の演出制御コマンドが予告演出１指定の演出制御コマンドであるか予告演出２指定の演出制御コマンドであるかを問わず、常に予告演出１の演出態様で保留表示予告演出が実行される。
【０１５３】
なお、予告演出無指定の演出制御コマンドを受信したときには、図１５に示すように保留表示予告は実行されず、始動入賞記憶数が１加算され、更新後の始動入賞記憶数が表示される。
【０１５４】
図１６は、保留表示予告の表示態様を示す説明図である。図１６（Ａ）は、予告演出２の表示態様で３個目の保留表示がなされたときの例が示されている。ここでは、予告演出２の表示態様によって、星型の図形が表示されている。図１６（Ｂ）は、予告演出１の表示態様で４個目の保留表示がなされたときの例が示されている。ここでは、予告演出１の表示態様によって、二重丸の図形が表示されている。すなわち、保留表示が星型で表示されたときには、その保留記憶に対応する可変表示にて大当りとなることが予告されていることを意味する。また、保留表示が二重丸で表示されたときには、その保留記憶に対応する可変表示にて高確率で大当りとなることが予告されていることを意味する。
【０１５５】
なお、この実施の形態では、保留表示予告の表示態様は星型や二重丸の図形であるが、保留表示予告の対象となっていない始動記憶表示エリア１８の表示態様と区別できるのであれば、他の表示態様であってもよい。例えば、保留表示予告の対象となっている始動記憶表示エリア１８の表示領域を、他の始動記憶表示エリア１８の表示領域よりも大きくしたり、他の始動記憶表示エリア１８の表示領域と異ならせるようにしたり、保留表示予告の対象となっている始動記憶表示エリア１８の表示領域を大きくするとともに、その表示領域の色を、他の始動記憶表示エリア１８の表示領域の色と異ならせるようにしてもよい。
【０１５６】
図１７は、メイン処理における演出制御プロセス処理を示すフローチャートである。演出制御プロセス処理では、演出制御プロセスフラグの値に応じてステップＳ８００〜Ｓ８０５のうちのいずれかの処理が行われる。各処理において、以下のような処理が実行される。
【０１５７】
変動パターンコマンド受信待ち処理（ステップＳ８００）：コマンド受信割込処理によって、変動時間を特定可能な演出制御コマンド（変動パターンコマンド）を受信したか否か確認する。具体的には、変動パターンコマンドが受信されたことを示すフラグ（変動パターン受信フラグ）がセットされたか否か確認する。変動パターン受信フラグは、コマンド解析処理によって、変動パターン指定の演出制御コマンドが受信されたことが確認された場合にセットされる。
【０１５８】
全図柄変動開始処理（ステップＳ８０１）：左中右図柄の変動が開始されるように制御する。
【０１５９】
図柄変動中処理（ステップＳ８０２）：変動パターンを構成する各変動状態（変動速度）の切替タイミングを制御するとともに、変動時間の終了を監視する。また、左右図柄の停止制御を行う。連続予告が実行される場合には、変動パターンコマンドにもとづいて予告演出を実行する。この予告演出は、キャラクタを出現させたり、背景色を変化させたりすることで行われる。
【０１６０】
全図柄停止待ち設定処理（ステップＳ８０３）：変動時間の終了時に、全図柄停止を指示する演出制御コマンド（特別図柄停止の演出制御コマンド）を受信していたら、図柄の変動を停止し停止図柄（確定図柄）を表示する制御を行う。
【０１６１】
大当り表示処理（ステップＳ８０４）：変動時間の終了後、確変大当り表示または通常大当り表示の制御を行う。
【０１６２】
大当たり遊技中処理（ステップＳ８０５）：大当たり遊技中の制御を行う。例えば、大入賞口開放前表示や大入賞口開放時表示の演出制御コマンドを受信したら、ラウンド数の表示制御等を行う。
【０１６３】
図１８は、変動パターンテーブル毎に設定されているプロセスデータの一構成例を示す説明図である。プロセスデータは、プロセスタイマ設定値と演出制御実行データの組み合わせが複数集まったデータで構成されている。演出制御実行データは、表示制御実行データとランプ制御実行データとを含む。表示制御実行データは、特別図柄の変動期間中における可変表示装置９の表示状態を示すデータが設定されている。例えば、表示制御実行データ１には、可変表示開始時の可変表示装置９の表示状態を示すデータが設定されている。また、ランプ制御実行データは、特別図柄の変動期間中におけるランプ・ＬＥＤの表示状態を示すデータが設定されている。例えば、ランプ制御実行データ１には、可変表示開始時のランプ・ＬＥＤの表示状態を示すデータが設定されている。そして、特別図柄の変動期間中において、表示状態を切り替えるタイミング（例えば可変表示装置９において新たなキャラクタが登場するタイミング、ランプ・ＬＥＤを点灯状態から消灯状態に切り替えるタイミング）が到来すると、演出制御手段は、プロセスデータにおける次の演出制御実行データに従って、可変表示装置９およびランプ・ＬＥＤの表示状態を制御する。プロセスタイマ設定値には、切替のタイミングに応じた時間が設定されている。
【０１６４】
このように、演出制御手段が、ＲＯＭに記憶されているプログラムおよびプロセスデータにもとづいて演出手段を制御し、複数の演出手段（この実施の形態では可変表示装置９およびランプ・ＬＥＤ）の制御に関わるプログラムが、演出制御基板８０に搭載されているＲＯＭに格納されている。そして、それらのプログラムを格納するＲＯＭを１つのＲＯＭとして構成することができる。従って、部品点数を減らすことができる。また、ＲＯＭに記憶されているプロセスデータのうち、プロセスタイマ設定値が共通化されている。従って、演出制御手段のＲＯＭ容量を節減することができる。なお、演出制御実行データについても、表示制御実行データとランプ制御実行データとを共通化できるのであれば、１つの演出制御実行データとしてもよい。このように、この実施の形態では、複数の演出手段の制御に関わるデータのうち少なくとも一部のデータ（この実施の形態では音声データＲＯＭに格納されているデータを除くデータ）を同一ＲＯＭに格納することができる。
【０１６５】
図１８に示すプロセスデータは、演出制御基板８０におけるＲＯＭに格納されている。また、プロセスデータは、各変動パターンのそれぞれに応じて用意されている。また、各変動パターンは予告演出の種類に応じて用意されている。従って、演出制御用ＣＰＵ１０１は、変動パターンに応じて使用するプロセスデータを選択し、選択したプロセスデータに従って演出を実行することで予告演出を行うことができる。
【０１６６】
図１９は、図１７に示された演出制御プロセス処理における変動パターンコマンド受信待ち処理（ステップＳ８００）を示すフローチャートである。変動パターンコマンド受信待ち処理において、演出制御用ＣＰＵ１０１は、変動パターン受信フラグがセットされたか否か確認する（ステップＳ８７１）。セットされていたら、そのフラグをリセットする（ステップＳ８７２）。
【０１６７】
次いで、演出制御用ＣＰＵ１０１は、確変状態開始指定フラグがセットされていれば（ステップＳ８７３ａ）、そのフラグをリセットするとともに（ステップＳ８７４ａ）、遊技状態フラグをセットし（ステップＳ８７５ａ）、可変表示装置９の背景を確変状態時に使用される背景に変更する処理を行う（ステップＳ８７６ａ）。
【０１６８】
なお、遊技状態フラグは、演出制御基板８０で認識されている制御状態が確変状態であるか通常状態であるかを示すフラグである。この例では、遊技状態フラグがセットされているときには演出制御基板８０にて制御状態が確変状態であると認識されていることを示し、遊技状態フラグがリセットされているときには演出制御基板８０にて制御状態が通常状態であると認識されていることを示す。また、本例では、保留表示予告の演出態様を決定するときに選択される演出モードが、遊技状態フラグがセットされているとき（確変状態であると把握しているとき）には確変状態モードとされ、遊技状態フラグがリセットされているとき（通常状態であると把握しているとき）には通常状態モードとされる。そして本例では、演出制御基板８０にて、確変状態モードであるか通常状態モードであるかによって、保留表示予告の演出態様の決定方法を異ならせるような制御が行われる。
【０１６９】
また、演出制御用ＣＰＵ１０１は、確変状態終了指定フラグがセットされていれば（ステップＳ８７３ｂ）、そのフラグをリセットするとともに（ステップＳ８７４ｂ）、遊技状態フラグをリセットし（ステップＳ８７５ｂ）、可変表示装置９の背景を通常状態時に使用される背景に変更する処理を行う（ステップＳ８７６ｂ）。
【０１７０】
そして、演出制御プロセスフラグの値を全図柄変動開始処理（ステップＳ８０１）に対応した値に変更する（ステップＳ８７７）。
【０１７１】
図２０（Ａ）は、確変時（高確率時）に表示される背景の例を示す説明図である。確変時には、図２０（Ａ）に示すように、背景色が赤色とされる。図２０（Ｂ）は、非確変時（通常確率時）に表示される背景の例を示す説明図である。非確変時には、図２０（Ｂ）に示すように、背景色が青色とされる。
【０１７２】
図２１は、演出制御プロセス処理における全図柄変動開始処理（ステップＳ８０１）を示すフローチャートである。全図柄変動開始処理において、演出制御用ＣＰＵ１０１は、まず、特別図柄の可変表示の変動パターンに応じたプロセスデータを選択する（ステップＳ８８１）。そして、選択したプロセスデータにおける演出実行データ１に対応したプロセスタイマをスタートさせる（ステップＳ８８２）。また、プロセスデータ中の表示制御実行データ１にもとづいてＬＣＤ制御を行う（ステップＳ８８３）。例えば、表示制御実行データ１の内容に応じた信号を、ＬＣＤによる可変表示装置９に与える。なお、表示制御実行データにはＲＯＭのアドレスが設定され、そのアドレスから始まる領域に、より詳細な制御データを格納しておき、それらの制御データに従ってＬＣＤ制御を行うように構成してもよい。また、プロセスデータ中のランプ制御実行データ１にもとづいてランプ・ＬＥＤ制御を行う（ステップＳ８８４）。例えば、ランプ制御実行データ１の内容に応じた信号を各ランプ・ＬＥＤに与える。なお、ランプ制御実行データにはＲＯＭのアドレスが設定され、そのアドレスから始まる領域に、より詳細な制御データを格納しておき、それらの制御データに従ってランプ・ＬＥＤ制御を行うように構成してもよい。
【０１７３】
また、変動パターンに応じた音番号データを音声出力基板７０に出力する（ステップＳ８８５）。音声出力基板７０において、音声合成用ＩＣは、音番号データに応じたデータを音声データＲＯＭから読み出し、読み出したデータに応じた音声や効果音を発生し増幅回路に出力する。増幅回路は、音声合成用ＩＣの出力レベルを、ボリュームで設定されている音量に応じたレベルに増幅した音声信号をスピーカ２７に出力する。
【０１７４】
その後、変動時間タイマ（特別図柄の変動時間に応じたタイマ）をスタートし（ステップＳ８８６）、演出制御プロセスフラグの値を図柄変動中処理に対応した値にする（ステップＳ８８７）。
【０１７５】
図２２は、演出制御プロセス処理における図柄変動中処理（ステップＳ８０２）を示すフローチャートである。図柄変動中処理において、演出制御用ＣＰＵ１０１は、プロセスタイマがタイムアウトしたら（ステップＳ８５１）、プロセスデータにおける演出制御実行データの切り替えを行う（ステップＳ８５２）。すなわち、プロセスデータにおいて、次に設定されているプロセスタイマをスタートさせるとともに（ステップＳ８５３）、次に設定されている表示制御実行データにもとづいてＬＣＤ制御を行う（ステップＳ８５４）。また、プロセスデータ中の次に設定されているランプ制御実行データにもとづいてランプ・ＬＥＤ制御を行う（ステップＳ８５５）。
【０１７６】
そして、変動時間タイマがタイムアウトしていたら（ステップＳ８５６）、特別図柄停止の演出制御コマンドの受信を監視するための監視タイマをスタートさせ（ステップＳ８５７）、演出制御プロセスフラグの値を全図柄停止待ち処理に対応した値にする（ステップＳ８５８）。
【０１７７】
図２３は、演出制御プロセス処理における全図柄停止待ち処理（ステップＳ８０３）を示すフローチャートである。全図柄停止待ち処理において、演出制御用ＣＰＵ１０１は、全図柄停止を指示する演出制御コマンド（特別図柄停止の演出制御コマンド）を受信しているか否か確認する（ステップＳ８４１）。全図柄停止を指示する演出制御コマンドを受信していれば、記憶されている停止図柄で図柄を停止させる制御を行う（ステップＳ８４２）。
【０１７８】
そして、ステップＳ８４２で大当り図柄を表示した場合には、演出制御用ＣＰＵ１０１は、演出制御プロセスフラグの値を大当り表示処理（ステップＳ８０４）に対応した値に設定する（ステップＳ８４４）。
【０１７９】
ステップＳ８４２で大当り図柄を表示しない場合（はずれ図柄を表示した場合）には、演出制御用ＣＰＵ１０１は、演出制御プロセスフラグの値を変動パターンコマンド受信待ち処理（ステップＳ８００）に対応した値に設定する（ステップＳ８４４）。
【０１８０】
全図柄停止を指定する演出制御コマンドを受信していない場合には、監視タイマがタイムアウトしているかどうか確認する（ステップＳ８４８）。タイムアウトした場合には、何らかの異常が発生したと判断して、可変表示装置９にエラー画面を表示する制御を行う（ステップＳ８４９）。そして、ステップＳ８４３に移行する。
【０１８１】
以上説明したように、遊技制御手段が、信頼度の異なる保留表示予告の実行指示を行うための演出制御コマンドを区別して送信する構成とし、演出制御手段が、遊技状態が通常状態（通常状態モード）であるときには遊技制御手段からの指示に応じた予告態様で保留表示予告を実行し、遊技状態が高確率状態（確変状態モード）であるときには遊技制御手段から指示された予告態様にかかわらず所定の予告態様で保留表示予告を実行する構成としたので、保留表示予告を実行するための制御を複雑化することなく、遊技者の混乱を招くことのない保留表示予告を行うことができる。
【０１８２】
また、上述したように、演出制御手段が、遊技状態に対応して保留表示予告の演出態様を選択するように構成されているので、遊技状態と保留表示予告の演出態様とを対応させることができ、遊技者に遊技状態の遷移を容易に把握させるようにすることができる。具体的には、大当りとなる確率が高められている確変状態であるときには高確率で大当りとなるときに用いられ高確率予告を常に行い、非確変状態であるときには主基板３１にて抽選された高確率予告または通常時予告を行う構成としているので、遊技状態と保留表示予告の演出態様とを対応させることができ、保留表示予告の出現態様によって遊技状態の遷移を容易に把握させるようにすることができる。
【０１８３】
また、上述したように、遊技制御手段が、確変状態開始コマンドと、確変状態終了コマンドと、識別情報の可変表示の開始を指示する変動パターンコマンドとを送信する構成とし、演出制御手段が、遊技状態が変化したことに応じて、可変表示装置９の表示画面における背景の態様を変化させ、確変状態開始コマンドまたは確変状態終了コマンドを受信したあと、変動パターンコマンドを受信したことにより、背景の態様を変化させるように構成されているので、遊技者に違和感を感じさせてしまうことを極力抑制して、背景の態様を変化させる演出を実行することができる。すなわち、可変表示が開始するときに背景を変化させることができるため、遊技における可変表示装置９上の表示を円滑に行うことができる。なお、確変状態開始コマンドと確変状態終了コマンドとのうちいずれか一方を送信する構成とされていてもよい。確変状態開始コマンドのみを送信する構成とする場合には、演出制御手段は、例えば、確変状態における時短状態での可変表示の実行回数を監視（具体的には実行回数を計数しておく）し、あらかじめ定められている上限実行回数（例えば１００回）の時短状態での可変表示の実行が完了したか否かを判定することにより、確変状態が終了したか否かを把握するようにすればよい。また、確変状態終了コマンドのみを送信する構成とする場合には、演出制御手段は、例えば、確変大当りが発生したあとの大当り遊技演出が終了したか否かを監視し、終了したことを確認したときに確変状態が開始したと判定するようにすればよい（確変大当りによる大当り遊技の終了後に確変状態となる遊技機の場合）。あるいは、確変状態終了コマンドのみを送信する構成とする場合に、演出制御手段は、例えば、確変大当りの発生による大当り遊技演出が終了したあとに実行された特別図柄の可変表示の実行回数を監視し、その実行回数があらかじめ定められた所定回数（例えば５０回）に達したか否かを判定することにより、確変状態が開始したか否かを把握するようにしてもよい（例えば、確変大当りによる大当り遊技の終了後、特別図柄の可変表示の実行回数が５０回に達したら確変状態となる遊技機の場合）。
【０１８４】
また、上述したように、実行条件成立時判定処理（本例では予告設定処理）にて大当り判定処理を呼び出すとき（ステップＳ２０７の前）に遊技状態を示すパラメータとして保留遊技状態情報（対象となる可変表示の開始時の遊技状態を示す情報）を設定するとともに、開始条件成立時判定処理（本例では変動開始時処理）にて大当り判定処理を呼び出すとき（ステップＳ５６の前）に遊技状態を示すパラメータとして現在遊技状態情報（現在の遊技状態を示す情報）を設定するように構成されているので、大当り判定処理のプログラム容量を削減することができるとともに、遊技状態に応じた的確な判定を行うことができるようになる。すなわち、遊技状態を判定するための処理を大当り判定処理内に組み込む必要がないため、大当り判定処理のプログラム容量を削減することができる。また、大当り判定に用いる遊技状態を示すパラメータは別途与えられるので、遊技状態に応じた適切は判定を行うことができる。
【０１８５】
なお、上述した実施の形態では、遊技状態が変化する毎に送信される演出制御コマンドの受信にもとづいて演出制御基板８０にて把握している遊技状態を変化させる構成としていたが、遊技制御手段が、識別情報の可変表示を開始する毎に、確変状態であるか否かを示す遊技状態コマンドを送信し、演出制御基板８０にて受信した遊技制御コマンドにもとづいて遊技状態を把握するようにしてもよい。このように構成すれば、遊技制御手段側と演出制御手段側とで遊技状態を共通に把握しておくことが容易かつ確実に実現できる。この場合、例えば図２４に示すように、遊技制御手段が、ステップＳ６６のあとに、遊技状態指定のコマンドに応じたコマンド送信テーブルのアドレスをポインタにセットし（ステップＳ６８）、コマンドセット処理をコールする（ステップＳ６９）ようにすればよい。そして、演出制御基板８０では、例えばコマンド解析処理にて、受信した遊技状態指定コマンドが示す遊技状態となるように遊技状態フラグをセット／リセットするようにすればよい。なお、遊技状態フラグは、確変状態であるか否かを示すフラグであり、確変状態となったときにセットされ、確変状態が終了したときにリセットされる。このように構成すれば、演出制御手段は、遊技状態フラグの状態を確認することで確変状態であるか否かを判定することができるので、サブ用回転数カウンタを備えておく必要がなくなる。また、演出制御基板８０にて、確変状態であるか否かを示す遊技状態コマンドを記憶する記憶領域を設け、確変状態であるか否かを示す遊技状態コマンドを受信する毎に記憶領域に記憶する遊技状態コマンドを更新するようにし、最後に受信されて記憶されている遊技状態コマンドが確変状態を示すものであるか否かを確認することで確変状態であるか否かを判定するようにしてもよい。
なお、遊技状態が変化する毎に送信される演出制御コマンドと、識別情報の可変表示を開始する毎に送信される確変状態であるか否かを示す遊技状態コマンドとの両方を用いて、演出制御基板８０が遊技状態を把握する構成とされていてもよい。このように構成されていれば、演出制御基板８０にて迅速かつ確実に遊技状態を把握することができる。
【０１８６】
また、上述した実施の形態では、遊技状態が変化する毎に確変状態開始コマンドあるいは確変状態終了コマンドを送信することで、演出制御基板８０が把握する遊技状態を変化させる構成としていたが、確変大当りによる大当り遊技状態が終了したときに確変状態に制御する構成とされている場合には、例えば、確変状態開始コマンドを大当り終了画面（大当り演出の終了時に可変表示装置９に表示される画面）の表示を指定する演出制御コマンドと兼用させるようにしてもよい。また、確変状態が新たな大当りの発生によって終了する構成とされている場合には、確変状態終了コマンドを大当り開始画面（大当り演出の開始時に可変表示装置９に表示される画面）の表示を指定する演出制御コマンドと兼用させるようにしてもよい。上記のように構成した場合には、主基板３１と演出制御基板８０との間で送受されるコマンドの数を減らすことができるため、制御負担を軽減させることができる。
【０１８７】
また、上記の実施の形態では、大当り図柄が停止表示されることになる特別図柄の変動の開始時に、始動記憶表示エリア１８の特別な表示態様が消滅する。よって、遊技者は、特別な表示態様が消滅したことによって、大当り図柄が停止表示されることになることを容易に予測できる。
【０１８８】
また、上記の実施の形態では、保留記憶中に大当り判定値に合致する大当り判定用乱数値があった場合には、大当り判定値に合致するか否かの判定を未だ行っていない他の大当り判定用乱数値が保留記憶中に存在していたとしても、大当り判定値に合致するか否かの判定処理を終了するように構成されているので、判定処理の制御を簡素化することができ、保留記憶中の大当り判定用乱数値が大当り判定値に合致するか否かの判定処理の制御負担を軽減させることができる。
【０１８９】
なお、保留記憶中に大当り判定値に合致する大当り判定用乱数値があった場合であっても判定処理を継続し、全ての大当り判定用乱数値について判定するようにしてもよい。この場合、例えば、保留記憶中に大当り判定値に合致する大当り判定用乱数値があるとの判定を最初にしたときの検査回数カウンタのカウント値を保存しておくようにして、保存したカウント値が２以上であるか否かをステップＳ２１２において判定するようにすればよい。
【０１９０】
また、上記の実施の形態では、大当り判定値に合致する大当り判定用乱数値に関わる可変表示の開始条件が成立する順番が、保留中の可変表示のうちの何番目であるのかを検査回数カウンタを用いて特定し、検査回数カウンタによって特定された数と同数の実行回数を設定し、その実行回数分の各可変表示において、複数回の可変表示に亘る所定の予告演出を実行するように構成されているので、予告演出の実行回数を適正な回数とすることができる。すなわち、連続予告演出の途中で大当りが発生してしまうようなことが確実に回避されるとともに、連続予告演出による最後の予告演出が出現する可変表示において大当りを発生させることが確実に可能となる。
【０１９１】
また、上記の実施の形態では、複数回の可変表示に亘る所定の予告演出の実行期間中は、保留記憶中の大当り判定用乱数値が大当り判定値に合致するか否かの判定処理の実行を禁止するように構成されているので、複数回の可変表示に亘る所定の予告演出を行うか否かの判定処理を簡素化することができ、制御内容の複雑化を回避することができる。また、予告演出の実行期間中に、さらに予告演出を行うことが決定されて別途予告演出が実行されることを防止することができ、重複して予告演出が実行されてしまうことを回避することができる。
【０１９２】
さらに、上記の実施の形態では、保留記憶中の大当り判定用乱数値が大当り判定値に合致するか否かの判定処理（ステップＳ２０７）は、可変表示の開始条件が成立したときに今回の可変表示結果を判定するための判定処理（ステップＳ５６）と共通のモジュールによって行われるように構成されているので、遊技機で用いられる制御プログラムを簡略化させることができ、制御プログラムの容量を低減させることができる。
【０１９３】
また、上記の実施の形態では、可変表示装置９を用いた連続予告が実行されることが決定されたときに保留表示予告をも実行するように構成していたが、連続予告の実行の有無とは無関係に保留表示予告を実行するか否かを判定するようにしてもよい。
【０１９４】
なお、上記の実施の形態では、遊技制御手段は、可変表示の実行条件が成立したとき（始動入賞が発生したとき）に、保留記憶の記憶内容にもとづいて今後実行されていることが決定されている可変表示の中に大当りとなるものが含まれているかを確認して連続予告演出および保留表示予告演出を実行するか否か決定したが、可変表示を開始することができるタイミングになったときに連続予告演出および保留表示予告演出を実行するか否か決定するようにしてもよい。
【０１９５】
また、上記の各実施の形態では、可変表示装置９による連続予告の演出をキャラクタによって行ったが、予告演出はどのような形態のものであってもよく、例えば、すべり演出（低速変動状態において数図柄分高速変動させる演出）や、もどり演出（図柄の停止位置を通り過ぎたあと逆向きに変動させる演出）などのような特別図柄の変動態様を変化させることで予告演出を行うようにしてもよい。また、背景を変化させることによって予告演出を行うようにしてもよい。また、キャラクタによる予告演出と、その他の可変表示装置９による予告演出とをともに実行するようにしてもよい。
【０１９６】
また、上記の各実施の形態では、始動入賞記憶数を最大４個であるとしていたが、３個以下あるいは５個以上とされていてもよい。さらに、あらかじめ定められた所定条件の成立によって、始動入賞記憶数の上限が変化するように構成されていてもよい。具体的には、例えば、通常時は最大４個であるが、大当りが発生した場合には、大当り遊技状態が終了するまで、最大１５個となるようにすることが考えられる。
【０１９７】
また、上記の各実施の形態では、始動記憶表示エリア１８の個数と始動入賞記憶数の最大値とが一致していたが、始動記憶表示エリア１８の個数を始動入賞記憶数の最大値よりも少ない数だけ備える構成としてもよい。この場合、始動記憶表示エリア１８の個数以上の始動入賞記憶数がある場合には、全ての始動記憶表示エリアにて保留中の表示を行うようにすればよい。具体的には、始動記憶表示エリア１８を１０個備え、始動入賞記憶数の最大値が５０個である場合には、１０個以上の保留がある場合には、１０個の始動記憶表示エリア１８で保留中の表示がなされる。
【０１９８】
なお、上記の各実施の形態のパチンコ遊技機１は、始動入賞にもとづいて可変表示装置９に可変表示される特別図柄の停止図柄が所定の図柄の組み合わせになると所定の遊技価値が遊技者に付与可能になる第１種パチンコ遊技機であり、かつ、プリペイドカードによって球貸しを行うカードリーダ（ＣＲ：Ｃａｒｄ  Ｒｅａｄｅｒ  ）式の第１種パチンコ遊技機であったが、プリペイドカードによって球貸しを行うＣＲ式パチンコ遊技機だけでなく、現金によって球貸しを行うパチンコ遊技機にも適用可能である。さらに、始動入賞にもとづいて開放する電動役物の所定領域への入賞があると所定の遊技価値が遊技者に付与可能になる第２種パチンコ遊技機や、始動入賞にもとづいて可変表示される図柄の停止図柄が所定の図柄の組み合わせになると開放する所定の電動役物への入賞があると所定の権利が発生または継続する第３種パチンコ遊技機であっても、本発明を適用できる。
【０１９９】
なお、上述した実施の形態には、以下の構成を有する遊技機が示されている。
遊技機制御用プログラム（例えば図１１に示すメイン処理や、各共通モジュール）を記憶するプログラム記憶手段（例えばＲＯＭ５４）を備え、遊技機制御用プログラムは、複数種類のメインモジュール（例えば予告設定処理、変動開始時処理）と、メインモジュールから呼び出されて実行される複数種類のサブモジュール（例えば図１１に示す各共通モジュール）とを含み、複数種類のサブモジュールのうちで複数のメインモジュールから共通に呼び出されて実行される共通サブモジュール（例えば大当り判定モジュール）は、プログラム記憶手段における複数の特定アドレスのいずれか（例えばプログラムアドレス００１０（Ｈ））に記憶され、遊技機制御用プログラムに含まれるメインモジュールは、遊技制御手段が共通サブモジュールを呼び出して実行するときに、プログラム記憶手段におけるプログラムアドレスよりもデータサイズが小さいパラメータ（例えばパラメータ０１０（Ｂ））にて特定アドレスを指定し、指定された特定アドレスに記憶されたサブモジュールを呼び出す命令（例えばリスタート命令）を用いる遊技機。
【０２００】
また、上記の各実施の形態において、「特別遊技状態」とは、大当りとなりやすい遊技者にとって有利な状態を意味する。具体的には、「特別遊技状態」は、例えば、特別図柄が大当り図柄で揃う確率が高確率状態とされる確変状態、単位時間あたりの普通図柄の変動回数が高められる時短状態、可変入賞球装置１５の開成期間や開成回数が高められる開放延長状態などの大当りとなる確率が高められている高確率状態である。なお、時短状態は、可変入賞球装置１５の開放回数が高められていることから単位時間あたりの入賞回数が増加し、単位時間あたりの特別図柄の可変表示回数が高められるので、大当りとなる確率が高められている状態といえる。また、同様に、開放延長状態は、可変入賞球装置１５の開成期間や開成回数が高められていることから単位時間あたりの入賞回数が増加し、単位時間あたりの特別図柄の可変表示回数が高められるので、大当りとなる確率が高められている状態といえる。
【０２０１】
【発明の効果】
以上のように、請求項１記載の発明では、予告演出のための制御を複雑化することなく、遊技者の混乱を招くことのない予告演出を実行することができるという効果を有する。
【０２０２】
請求項２記載の発明では、遊技状態と予告演出の演出態様とを対応させることができ、遊技者に遊技状態の遷移を容易に把握させるようにすることができる。
【０２０３】
請求項３記載の発明では、遊技者に違和感を与えてしまうことを極力抑制して、背景の態様を変化させる演出を実行することができる。
【０２０４】
請求項４記載の発明では、遊技制御手段側と演出制御手段側とで遊技状態を共通に把握しておくことが容易に実現できる。
【０２０５】
請求項５記載の発明では、プログラム容量を削減することができるとともに、遊技状態に応じた的確な判定を行うことができるようになる。
【図面の簡単な説明】
【図１】パチンコ遊技機を正面からみた正面図である。
【図２】遊技制御基板（主基板）および演出制御基板の回路構成例を示すブロック図である。
【図３】各乱数を示す説明図である。
【図４】特別図柄プロセス処理を示すフローチャートである。
【図５】始動口スイッチ通過処理を示すフローチャートである。
【図６】予告設定処理を示すフローチャートである。
【図７】予告設定処理を示すフローチャートである。
【図８】変動開始時処理を示すフローチャートである。
【図９】大当り判定テーブル、リーチ判定テーブル、予告判定テーブルおよび予告種類選択率の一例を示す説明図である。
【図１０】大当り判定モジュールを示すフローチャートである。
【図１１】大当り判定モジュールの呼び出し方法を説明するための説明図である。
【図１２】遊技状態指定処理を示すフローチャートである。
【図１３】コマンド解析処理を示すフローチャートである。
【図１４】コマンド解析処理を示すフローチャートである。
【図１５】予告態様決定用テーブルを示す説明図である。
【図１６】保留表示予告の実行態様を示す説明図である。
【図１７】演出制御プロセス処理を示すフローチャートである。
【図１８】プロセスデータの一構成例を示す説明図である。
【図１９】変動パターンコマンド受信待ち処理を示すフローチャートである。
【図２０】高確率時と通常時の背景の表示状態を示す説明図である。
【図２１】全図柄変動開始処理を示すフローチャートである。
【図２２】図柄変動中処理を示すフローチャートである。
【図２３】全図柄停止待ち処理を示すフローチャートである。
【図２４】変動開始時処理の他の例を示すフローチャート
【符号の説明】
１      パチンコ遊技機
９      可変表示装置
１８    始動記憶表示エリア
３１    主基板
５６    ＣＰＵ
８０    演出制御基板
１０１  演出制御用ＣＰＵ
【図１】
2004344494.tif 000003
【図２】
2004344494.tif 000004
【図３】
2004344494.tif 000005
【図４】
2004344494.tif 000006
【図５】
2004344494.tif 000007
【図６】
2004344494.tif 000008
【図７】
2004344494.tif 000009
【図８】
2004344494.tif 000010
【図９】
2004344494.tif 000011
【図１０】
2004344494.tif 000012
【図１１】
2004344494.tif 000013
【図１２】
2004344494.tif 000014
【図１３】
2004344494.tif 000015
【図１４】
2004344494.tif 000016
【図１５】
2004344494.tif 000017
【図１６】
2004344494.tif 000018
【図１７】
2004344494.tif 000019
【図１８】
2004344494.tif 000020
【図１９】
2004344494.tif 000021
【図２０】
2004344494.tif 000022
【図２１】
2004344494.tif 000023
【図２２】
2004344494.tif 000024
【図２３】
2004344494.tif 000025
【図２４】
2004344494.tif 000026